(57)【特許請求の範囲】
【請求項１】
第２の電子デバイスへのアクセスを認可するための、第１の電子デバイス中で遂行される方法であって、前記方法は、
前記第１の電子デバイスと前記第２の電子デバイスとの間での通信を確立することと、  前記第２の電子デバイスから前記第１の電子デバイスにおいて受信された信号に基づいて、前記第１および第２の電子デバイスのうちの少なくとも１つの移動に応答して、前記第１および第２の電子デバイスのうちの前記少なくとも１つの動きを示すデータを取得することと、ここにおいて、前記データは、前記信号の周波数と基準周波数との間の複数の周波数差または前記信号の複数の周波数変化に基づいた周波数変化シーケンスを含む、  前記周波数変化シーケンスの、基準周波数変化シーケンスへの比較に基づいて、前記第２の電子デバイスへのアクセスを認可する制御信号を生成することと、
前記制御信号を前記第２の電子デバイスに送信することと
を備える、方法。
【請求項２】
前記動きを示す前記データを取得することは、
前記第１および第２の電子デバイスのうちの少なくとも１つ中で所定のイベントを検出することと、
前記所定のイベントを検出することに応答して、前記データを取得することと
を備える、請求項１に記載の方法。
【請求項３】
前記所定のイベントは、前記第２の電子デバイスとの接触、メッセージの受信、前記第１の電子デバイスの所定の動き、および前記第２の電子デバイスの所定の動きのうちの少なくとも１つを含む、請求項２に記載の方法。
【請求項４】
前記動きを示す前記データを取得することは、前記第１および第２の電子デバイスの加速度データ、軌道データ、方位データ、およびロケーションデータのうちの少なくとも１つを取得することを備える、請求項１に記載の方法。
【請求項５】
前記第１および第２の電子デバイスのうちの少なくとも１つの前記動きは、前記第１の電子デバイスの動きおよび前記第２の電子デバイスの動きを含み、
前記第２の電子デバイスへのアクセスを認可する前記制御信号を生成することは、
前記第１および第２の電子デバイスの前記動きを示す前記データに基づいて、前記第１の電子デバイスおよび前記第２の電子デバイスの前記動きにおける類似性の度合いが所定のしきい値を上回るかどうかを決定することと、
前記動きにおける前記類似性の度合いが前記所定のしきい値を上回ると決定することに応答して、前記制御信号を生成することと
を備える、請求項１に記載の方法。
【請求項６】
前記動きを示す前記データを取得することは、
前記第２の電子デバイスから送信された信号を受信することと、ここにおいて、前記信号は、前記第１の電子デバイスと前記第２の電子デバイスとの間での相対運動を示す、  前記動きを示す前記データとして、前記信号中での周波数変化のパターンを決定することと
を備える、請求項１に記載の方法。
【請求項７】
前記第２の電子デバイスへのアクセスを認可する前記制御信号を生成することは、
前記周波数変化のパターンと基準パターンとの間における類似性の度合いが所定のしきい値を上回るかどうかを決定することと、
前記類似性の度合いが前記所定のしきい値を上回ると決定することに応答して、前記制御信号を生成することと
を備える、請求項６に記載の方法。
【請求項８】
前記制御信号は、前記第２の電子デバイスへのアクセスを提供するための機能を遂行するように前記第２の電子デバイスに命令するように適合される、請求項１に記載の方法。
【請求項９】
ターゲットデバイスへのアクセスを認可するための命令を備える、非一時的コンピュータ可読記憶媒体であって、前記命令は、電子デバイスのプロセッサに、
前記電子デバイスと前記ターゲットデバイスとの間での通信を確立することと、
前記ターゲットデバイスから前記電子デバイスにおいて受信された信号に基づいて、前記電子デバイスおよび前記ターゲットデバイスのうちの少なくとも１つの移動に応答して、前記電子デバイスおよび前記ターゲットデバイスのうちの前記少なくとも１つの動きを示すデータを取得することと、ここにおいて、前記データは、前記信号の周波数と基準周波数との間の複数の周波数差または前記信号の複数の周波数変化に基づいた周波数変化シーケンスを含む、
前記周波数変化シーケンスの、基準周波数変化シーケンスへの比較に基づいて、前記ターゲットデバイスへのアクセスを認可する制御信号を生成することと、
前記制御信号を前記ターゲットデバイスに送信することと
を行う動作を遂行させる、非一時的コンピュータ可読記憶媒体。
【請求項１０】
ターゲットデバイスへのアクセスを認可するための電子デバイスであって、前記電子デバイスは、
前記ターゲットデバイスとの通信を確立するための手段と、
前記電子デバイスおよび前記ターゲットデバイスのうちの少なくとも１つの動きを示すデータに基づいて、前記ターゲットデバイスへのアクセスを認可するための手段と、ここにおいて、前記データは、前記電子デバイスおよび前記ターゲットデバイスのうちの前記少なくとも１つの移動に応答して取得され、ここにおいて、前記データは、前記ターゲットデバイスから受信された信号の周波数に基づいて取得され、ここにおいて、前記データは、前記信号の周波数と基準周波数との間の複数の周波数差または前記信号の複数の周波数変化に基づいた周波数変化シーケンスを含む、
前記周波数変化シーケンスの、基準周波数変化シーケンスへの比較に基づいて、前記ターゲットデバイスへのアクセスを認可する制御信号を生成するための手段と、
前記ターゲットデバイスへのアクセスを認可することに応答して、前記ターゲットデバイスとの前記通信を前記確立するための手段を介して制御信号を前記ターゲットデバイスに送信するための手段と
を備える、電子デバイス。
【請求項１１】
前記電子デバイスおよび前記ターゲットデバイスのうちの少なくとも１つ中で所定のイベントを検出するための手段をさらに備え、
前記ターゲットデバイスへのアクセスを前記認可するための手段は、前記所定のイベントを検出することに応答して、前記データを取得するように構成され、好ましくは、ここにおいて、前記所定のイベントは、前記ターゲットデバイスとの接触、メッセージの受信、前記電子デバイスの所定の動き、および前記ターゲットデバイスの所定の動きのうちの少なくとも１つを含み、好ましくは、ここにおいて、前記動きを示す前記データは、前記電子デバイスおよび前記ターゲットデバイスの加速度データ、軌道データ、方位データ、およびロケーションデータのうちの少なくとも１つを含む、
請求項１０に記載の電子デバイス。
【請求項１２】
前記電子デバイスおよび前記ターゲットデバイスのうちの少なくとも１つの前記動きは、前記電子デバイスの動きおよび前記ターゲットデバイスの動きを含み、
前記ターゲットデバイスへのアクセスを前記認可するための手段は、
前記電子デバイスおよび前記ターゲットデバイスの前記動きを示す前記データに基づいて、前記電子デバイスおよび前記ターゲットデバイスの前記動きにおける類似性の度合いが所定のしきい値を上回るかどうかを決定することと、
前記動きにおける前記類似性の度合いが前記所定のしきい値を上回ると決定することに応答して、前記ターゲットデバイスへのアクセスを認可することと
を行うように構成される、請求項１０に記載の電子デバイス。
【請求項１３】
前記ターゲットデバイスから送信された信号を受信するための手段をさらに備え、
前記信号は、前記電子デバイスと前記ターゲットデバイスとの間での相対運動を示し、  前記ターゲットデバイスへのアクセスを前記認可するための手段は、前記動きを示す前記データとして、前記信号中での周波数変化のパターンを決定するように構成される、請求項１０に記載の電子デバイス。
【請求項１４】
前記ターゲットデバイスへのアクセスを前記認可するための手段は、
前記周波数変化のパターンと基準パターンとの間における類似性の度合いが所定のしきい値を上回るかどうかを決定することと、
前記類似性の度合いが前記所定のしきい値を上回ると決定することに応答して、前記ターゲットデバイスへのアクセスを認可することと
を行うように構成される、請求項１３に記載の電子デバイス。
【請求項１５】
前記制御信号は、前記ターゲットデバイスへのアクセスを提供するための機能を遂行するように前記ターゲットデバイスに命令するように適合される、請求項１０に記載の電子デバイス。
【発明の詳細な説明】
【優先権の主張】
【０００１】
[0001]本願は、「AUTOMATIC AUTHORIZATION FOR ACCESS TO ELECTRONIC DEVICE」と題された、２０１４年９月８日に出願された米国特許出願第１４／４８０，１８７号からの優先権を主張し、その内容は、その全体が参照によって組み込まれる。
【技術分野】
【０００２】
[0002]本開示は概して、電子デバイスにアクセスすることに関し、より具体的には、電子デバイスへのアクセスを自動的に認可することに関する。
【背景技術】
【０００３】
[0003]近年、スマートフォン、タブレットコンピュータ、およびウェアラブルコンピュータのような電子デバイスの使用が、消費者の間で増加している。これらのデバイスは概して、データ処理および通信、音声通信、インターネットブラウザ、マルチメディアプレーヤ、ゲームプレーヤ、等のような多様な能力を提供する。加えて、そのような電子デバイスは典型的に、ユーザの利便性のために様々な機能を遂行することが可能である多様なアプリケーションを含む。
【０００４】
[0004]在来の電子デバイスは、電子デバイスが認可されていない人物によって使用されることを防ぐために、セキュリティ機能（security feature）を提供することが多い。例えば、スマートフォンが既定された時間期間の間使用されない場合、スマートフォンは自動的にロックされうる。そのようなケースでは、スマートフォンのユーザがスマートフォンを使用したいと思う場合、彼または彼女は、スマートフォンをロック解除するために、手動で認証情報を提供することを求められうる。例えば、ユーザは、適正なパスワードを、または指紋センサ、虹彩スキャナ、等のような生体センサを通じて他の認証情報を、入力することを求められうる。適正な情報を入力すると、スマートフォンは、ユーザによる使用のためにロック解除されうる。
【０００５】
[0005]そのような電子デバイスの人気に起因して、消費者は、２つ以上の電子デバイスを携帯することがありうる。例えば、消費者の中には、スマートフォンおよびスマートウォッチを携帯する者も存在しうる。そのようなケースでは、ユーザは、ユーザがデバイスを使用したいと思う度に、スマートフォンおよびスマートウォッチを個々に手動でロック解除する必要がありうる。複数の電子デバイスを携帯するそのようなユーザにとって、電子デバイスの各々を個々に手動でロック解除することは、不便であり、時間がかかりうる。
【発明の概要】
【０００６】
[0006]本開示は、電子デバイスへのアクセスを自動的に認可するための方法および装置を提供する。
【０００７】
[0007]本開示の一態様にしたがって、第２の電子デバイスへのアクセスを認可するための、第１の電子デバイス中で遂行される方法が開示される。方法は、第１の電子デバイスと第２の電子デバイスとの間での通信を確立することを含む。方法はまた、第１および第２の電子デバイスのうちの少なくとも１つの移動（movement）に応答して、第１および第２の電子デバイスのうちの少なくとも１つの動き（motion）を示すデータを取得する。データに基づいて、第２の電子デバイスへのアクセスを認可する制御信号が生成され、第２の電子デバイスに送信される。この開示はまた、この方法に関連する装置、デバイス、手段の組み合わせ、およびコンピュータ可読媒体を説明する。
【０００８】
[0008]本開示の別の態様にしたがって、ターゲットデバイスへのアクセスを認可するための電子デバイスが開示される。電子デバイスは、ターゲットデバイスとの通信を確立するように構成された通信ユニットを含む。電子デバイスはまた、電子デバイスおよびターゲットデバイスのうちの少なくとも１つの動きを示すデータに基づいて、ターゲットデバイスへのアクセスを認可するように構成されたデータ処理ユニットを含む。このケースでは、データは、電子デバイスおよびターゲットデバイスのうちの少なくとも１つの移動に応答して取得される。ターゲットデバイスへのアクセスを認可することに応答して、信号生成ユニットは、通信ユニットを介して制御信号をターゲットデバイスに送信するように構成される。
【０００９】
[0009]この開示の発明の態様の実施形態は、添付の図面と併せて読まれたとき、以下の詳細な説明を参照して理解されるであろう。
【図面の簡単な説明】
【００１０】
【図１Ａ】本開示の一実施形態にしたがって、スマートウォッチによってスマートフォンへのアクセスを認可するための、片方の腕の手首にスマートウォッチを身に着け、同じ腕の手にスマートフォンを持っているユーザによる動きのシーケンスを例示する。
【図１Ｂ】本開示の一実施形態にしたがって、スマートウォッチによってスマートフォンへのアクセスを認可するための、片方の腕の手首にスマートウォッチを身に着け、同じ腕の手にスマートフォンを持っているユーザによる動きのシーケンスを例示する。
【図１Ｃ】本開示の一実施形態にしたがって、スマートウォッチによってスマートフォンへのアクセスを認可するための、片方の腕の手首にスマートウォッチを身に着け、同じ腕の手にスマートフォンを持っているユーザによる動きのシーケンスを例示する。
【図１Ｄ】本開示の一実施形態にしたがって、スマートウォッチによってスマートフォンへのアクセスを認可するための、片方の腕の手首にスマートウォッチを身に着け、同じ腕の手にスマートフォンを持っているユーザによる動きのシーケンスを例示する。
【図２Ａ】本開示の一実施形態にしたがって、スマートウォッチによってスマートフォンへのアクセスを認可するための、片方の腕の手首にスマートウォッチを身に着け、もう一方の腕の手にスマートフォンを持っているユーザによる動きのシーケンスを例示する。
【図２Ｂ】本開示の一実施形態にしたがって、スマートウォッチによってスマートフォンへのアクセスを認可するための、片方の腕の手首にスマートウォッチを身に着け、もう一方の腕の手にスマートフォンを持っているユーザによる動きのシーケンスを例示する。
【図２Ｃ】本開示の一実施形態にしたがって、スマートウォッチによってスマートフォンへのアクセスを認可するための、片方の腕の手首にスマートウォッチを身に着け、もう一方の腕の手にスマートフォンを持っているユーザによる動きのシーケンスを例示する。
【図２Ｄ】本開示の一実施形態にしたがって、スマートウォッチによってスマートフォンへのアクセスを認可するための、片方の腕の手首にスマートウォッチを身に着け、もう一方の腕の手にスマートフォンを持っているユーザによる動きのシーケンスを例示する。
【図３】本開示の一実施形態にしたがって、電子デバイスの動きおよび／またはスマートウォッチの動きに応答して、電子デバイスへのアクセスを認可するように構成されたスマートウォッチのブロック図を例示する。
【図４】本開示の一実施形態にしたがって、スマートウォッチからの、電子デバイスへのアクセスのためのコマンドに応答してアクティブ化されるように構成された電子デバイスのブロック図を例示する。
【図５】本開示の一実施形態にしたがって、電子デバイスから受信されたドップラ信号に応答して、電子デバイスへのアクセスを認可するかどうかを決定するように構成されたスマートウォッチ中のドップラ処理ユニットのブロック図を例示する。
【図６】本開示の一実施形態にしたがって、スマートウォッチおよび電子デバイスのうちの少なくとも１つの動きに応答して、電子デバイスへのアクセスを認可するための、スマートウォッチ中で遂行される方法のフローチャートを例示する。
【図７】本開示の一実施形態にしたがって、スマートウォッチの動きおよび電子デバイスの動きに基づいて、電子デバイスへのアクセスを認可する制御信号を生成するための、スマートウォッチ中で遂行される方法のフローチャートを例示する。
【図８】本開示の一実施形態にしたがって、電子デバイスから受信されたドップラ信号中での周波数変化のパターンおよび基準パターンに基づいて、電子デバイスへのアクセスを認可する制御信号を生成するための、スマートウォッチ中で遂行される方法のフローチャートを例示する。
【図９Ａ】本開示の一実施形態にしたがって、スマートグラスによって電子デバイスへのアクセスを認可するための、スマートグラスを身に着け、片方の手に電子デバイスを持っているユーザによる動きのシーケンスを例示する。
【図９Ｂ】本開示の一実施形態にしたがって、スマートグラスによって電子デバイスへのアクセスを認可するための、スマートグラスを身に着け、片方の手に電子デバイスを持っているユーザによる動きのシーケンスを例示する。
【図９Ｃ】本開示の一実施形態にしたがって、スマートグラスによって電子デバイスへのアクセスを認可するための、スマートグラスを身に着け、片方の手に電子デバイスを持っているユーザによる動きのシーケンスを例示する。
【図１０】本開示の一実施形態にしたがって、電子デバイスのイメージをキャプチャするか、または電子デバイスの動きを検出すると、電子デバイスへのアクセスを認可するように構成されたスマートグラスのブロック図を例示する。
【図１１】本開示の一実施形態にしたがって、電子デバイスのキャプチャされたイメージおよび電子デバイスの基準イメージに基づいて、電子デバイスへのアクセスを認可するための、スマートグラス中で遂行される方法のフローチャートを例示する。
【図１２】本開示の一実施形態にしたがって、電子デバイスの複数のイメージから検出された電子デバイスの動きに基づいて、電子デバイスへのアクセスを認可するための、スマートグラス中で遂行される方法のフローチャートを例示する。
【図１３】ユーザの意図ベースのアクティビティ（user intent-based activity）に基づいて、電子デバイスへのアクセスを認可するための方法および装置が本開示のいくつかの実施形態にしたがってインプリメントされる例証的な電子デバイスのブロック図である。
【詳細な説明】
【００１１】
[0023]ここで様々な実施形態への参照が詳細になされ、その例が添付の図面中に例示される。以下の詳細な説明では、多数の特定の詳細が、本主題の完全な理解を提供するために記載される。しかしながら、本主題がこれらの特定の詳細なしに実施されうることは、当業者にとって明らかであろう。他の事例では、良く知られている方法、プロシージャ、システム、およびコンポーネントは、様々な実施形態の態様を不必要に曖昧にしないように、詳細には説明されていない。
【００１２】
[0024]図１Ａ〜１Ｄは、本開示の一実施形態にしたがって、ユーザの左腕の手首にスマートウォッチ１１２を身に着け、スマートフォン１１４を使用するために、ユーザの左手１１６にスマートフォン１１４を手に取るユーザ１１０による動きのシーケンスを例示する。動きのシーケンス中のユーザ１１０による１つまたは複数の動きは、スマートフォン１１４を使用するというユーザの意図を示すスマートウォッチ１１２およびスマートフォン１１４による動きをもたらしうる。スマートウォッチ１１２およびスマートフォン１１４の動きを検出すると、スマートウォッチ１１２は、動きが類似しているかどうかを決定するために、動きに関連付けられたデータを処理しうる。動きが類似していると決定された場合、スマートウォッチ１１２は、スマートフォン１１４へのアクセスを認可するための信号（例えば、命令、コマンド、等）を生成し、その信号をスマートフォン１１４に送信しえ、それは、スマートフォン１１４へのアクセスを提供するための機能を遂行しうる。その信号に応答して、スマートフォン１１４は、ユーザ１１０によるスマートフォン１１４へのアクセスのために自動的にアクティブ化されうる。例えば、スマートフォン１１４は、自動的にロック解除されうるか、または電子メールアプリケーション、メッセージングアプリケーション、ＳＮＳアプリケーション、等をアクティブ化するといったような所定の機能を自動的に遂行しうる。
【００１３】
[0025]図１Ａは、スマートフォン１１４の近くにロケートされ（located）、ユーザの左手首にスマートウォッチ１１２を身に着けているユーザ１１０を例示する。初めに、スマートウォッチ１１２およびスマートフォン１１４は、Ｂｌｕｅｔｏｏｔｈ（登録商標）、Ｗｉ−Ｆｉ Ｄｉｒｅｃｔ、ＬＴＥ（登録商標） Ｄｉｒｅｃｔ、ＮＦＣ（近距離無線通信）、ＵＷＢ（超広帯域）、ＩＲ（赤外線）通信技術、等のような任意の適した短距離通信技術を使用して互いとワイヤレスで通信するように構成されうる。スマートウォッチ１１２およびスマートフォン１１４はまた、ＣＤＭＡ、ＧＳＭ（登録商標）、ＬＴＥ、ＬＴＥ Ａｄｖａｎｃｅｄ、Ｗｉ−Ｆｉ、等のような任意の適した通信技術を使用して、データ通信ネットワークを介してワイヤレスで通信しうる。この構成では、スマートウォッチ１１２およびスマートフォン１１４は、通信ネットワークを通じて、メッセージ、電子メール、ＳＮＳメッセージ、等のような情報を送信および受信しうる。
【００１４】
[0026]一実施形態では、スマートフォン１１４は初めに、認可されていないユーザによるアクセスを防ぐために、ロックされたモードでありうる。スマートフォン１１４がロックされたモードである間に、ユーザ１１０は、ウェブサーフィンをする、音楽を聴く、ゲームをする、電子ブックを読む、等をするためにスマートフォン１１４を使用することを意図しうる。ユーザ１１０はまた、スマートフォン１１４が受信されたメッセージ、電子メール、カレンダーイベント、等のようなイベントの通知を出力するときにスマートフォン１１４を使用することを意図しうる。そのようなケースでは、ユーザ１１０は、ユーザの手１１６または１１８のうちのいずれかによってスマートフォン１１４を手に取りうる。
【００１５】
[0027]スマートフォン１１４を使用するというユーザの意図にしたがって、ユーザ１１０は、本開示の一実施形態にしたがって図１Ｂ中に示されるように、ユーザの左手１１６によってスマートフォン１１４を手に取ることを進めうる。この実施形態では、ユーザ１１０は、ユーザの腕の左手首にスマートウォッチ１１２を身に着けている間に、左手１１６にスマートフォン１１４を持ちうる。スマートフォン１１４は、ユーザの手１１６との接触を検出するために接触センサを、またはスマートフォン１１４を手に取る動きを示すスマートフォン１１４の動きを検出するために動きセンサを、装備されうる。そのような接触または動きを検出すると、スマートフォン１１４は、スマートフォン１１４へのアクセスを認可する方法を開始するために、スマートウォッチ１１２と通信しうる。そのような接触または動きに応答して、スマートウォッチ１１２およびスマートフォン１１４は、それぞれスマートウォッチ１１２およびスマートフォン１１４の動きを検出するように構成されうる。
【００１６】
[0028]スマートフォン１１４を手に取ると、ユーザ１１０は、本開示の一実施形態にしたがって、図１Ｃ中に図示されるように、スマートフォン１１４を使用するために、スマートフォン１１４をユーザ１１０の方に移動させうる。例示された実施形態では、ユーザ１１０は、左手首にスマートウォッチ１１２を身に着け、左手１１６にスマートフォン１１４を持っている。それ故に、ユーザ１１０が、左腕を移動させることによって、スマートフォン１１４を使用するために、スマートフォン１１４をユーザ１１０の方に移動させると、スマートウォッチ１１２およびスマートフォン１１４は、類似した方法で移動しうる。このケースでは、ユーザの左腕の移動に応答したスマートウォッチ１１２の動き１３０およびスマートフォン１１４の動き１３２は、類似しうる。スマートウォッチ１１２およびスマートフォン１１４の動き１３０および１３２が類似しているとスマートウォッチ１１２によって決定された場合、スマートフォン１１４へのアクセスを認可する制御信号がスマートウォッチ１１２から生成され、スマートフォン１１４に送信されうる。
【００１７】
[0029]スマートフォン１１４へのアクセスを認可する制御信号を受信することに応答して、スマートフォン１１４は、ユーザ１１０がスマートフォン１１４にアクセスするために自動的にアクティブ化されうる。図１Ｄは、ユーザ１１０によるアクセスのためにスマートウォッチ１１２によってアクティブ化されたスマートフォン１１４を見ているユーザ１１０を示す。いくつかの実施形態では、スマートフォン１１４は、自動的にロック解除されうるか、または電子メールアプリケーション、メッセージングアプリケーション、ＳＮＳアプリケーション、等をアクティブ化するといったような所定の機能を自動的に遂行しうる。スマートウォッチ１１２およびスマートフォン１１４の動き１３０および１３２に基づいてスマートフォン１１４へのアクセスを可能にすることによって、ユーザ１１０は、追加の行動を遂行または追加の情報を入力することなしに、スマートフォン１１４に便利にアクセスしうる。
【００１８】
[0030]別の実施形態では、スマートフォン１１４は、スマートウォッチ１１２の動き１３０とスマートフォン１１４の動き１３２とを比較することによって、スマートフォン１１４へのアクセスを認可するかどうかを決定しうる。このケースでは、スマートフォン１１４は、動き１３０および１３２が類似しているかどうかを決定するために、スマートウォッチ１１２の動き１３０を示すデータを受信し、その動きデータをスマートフォン１１４の動きデータと比較しうる。動き１３０および１３２が類似していると決定された場合、スマートフォン１１４は、ユーザ１１０によるアクセスのために自動的にアクティブ化されうる。
【００１９】
[0031]図２Ａ〜２Ｄは、本開示の一実施形態にしたがって、ユーザの左腕の手首にスマートウォッチ１１２を身に着け、スマートフォン１１４を使用するために、ユーザの右手１１８によってスマートフォン１１４を手に取るユーザ１１０による動きのシーケンスを例示する。動きのシーケンス中のユーザ１１０による１つまたは複数の動きは、スマートフォン１１４を使用するというユーザの意図を示すスマートウォッチ１１２およびスマートフォン１１４による動きをもたらしうる。
【００２０】
[0032]例示された実施形態では、スマートフォン１１４は、所定の周波数を有する信号（例えば、超音波信号、無線信号、等）を送信するように構成されうる。その一方で、スマートウォッチ１１２は、スマートフォン１１４から信号を受信し、受信された信号の周波数中での変化のパターンを決定するように構成されうる。周波数変化（frequency change）のパターンは、スマートウォッチ１１２とスマートフォン１１４との間での相対運動（relative motion）を示すデータとして使用されうる。
【００２１】
[0033]スマートウォッチ１１２は、パターンが類似しているかどうかを決定するために、周波数変化のパターンに関連付けられたデータを周波数変化の基準パターンについてのデータと比較しうる。パターンが類似していると決定された場合、スマートウォッチ１１２は、スマートフォン１１４へのアクセスを認可するための信号（例えば、命令、コマンド、等）を生成し、その信号をスマートフォン１１４に送信しえ、それは、スマートフォン１１４へのアクセスを提供するための機能を遂行しうる。スマートウォッチ１１２からの信号に応答して、スマートフォン１１４は、ユーザ１１０による追加の入力なしにユーザ１１０がスマートフォン１１４にアクセスすることを可能にするために自動的にアクティブ化されうる。例えば、スマートフォン１１４は、自動的にロック解除されうるか、または電子メールアプリケーション、メッセージングアプリケーション、ＳＮＳアプリケーション、等をアクティブ化するといったような所定の機能を自動的に遂行しうる。
【００２２】
[0034]図２Ａは、スマートフォン１１４の近くにロケートされ、ユーザの左手首にスマートウォッチ１１２を身に着けているユーザ１１０を例示する。上記の図１Ａ中に例示された実施形態に類似して、スマートウォッチ１１２およびスマートフォン１１４は、任意の適した短距離通信技術を使用して互いと通信し、データ通信ネットワークを介して、メッセージ、電子メール、ＳＮＳメッセージ、等のような情報を通信するように構成されうる。スマートフォン１１４は初めに、認可されていないユーザによるアクセスを防ぐために、ロックされたモードでありうる。
【００２３】
[0035]スマートフォン１１４がロックされたモードである間に、ユーザ１１０は、ウェブサーフィンをする、音楽を聴く、ゲームをする、電子ブックを読む、等をするためにスマートフォン１１４を使用することを意図しうる。ユーザ１１０はまた、スマートフォン１１４が受信されたメッセージ、電子メール、カレンダーイベント、等のようなイベントの通知を出力するときにスマートフォン１１４を使用することを意図しうる。そのようなケースでは、ユーザ１１０は、図２Ｂ中に示されるように、スマートフォン１１４を使用するために、ユーザの右手１１８によってスマートフォン１１４を手に取りうる。
【００２４】
[0036]図２Ｂ中では、ユーザ１１０は初めに、ユーザの腕の左手首にスマートウォッチ１１２を身に着けている間に、右手１１８にスマートフォン１１４を手に取り、持ちうる。スマートフォン１１４中の接触センサは、ユーザの手１１８との接触を検出するように構成されうる。加えてまたは代替として、スマートフォン１１４中の動きセンサは、スマートフォン１１４を手に取る動きを示すスマートフォン１１４の動きを検出するように構成されうる。そのような接触または動きを検出すると、スマートフォン１１４は、スマートフォン１１４へのアクセスを認可する方法を開始するために、スマートウォッチ１１２と通信しうる。そのような接触または動きに応答して、スマートフォン１１４は、周波数信号（例えば、超音波信号、無線信号、等）を送信するように構成されえ、それは、スマートウォッチ１１２によって受信されうる。
【００２５】
[0037]スマートフォン１１４を手に取ると、ユーザ１１０は、本開示の一実施形態にしたがって、図２Ｃ中に示されるように、スマートフォン１１４を使用するために、スマートフォン１１４をユーザ１１０の方に移動させうる。例示された実施形態では、ユーザ１１０は、左手首にスマートウォッチ１１２を身に着け、右手１１８にスマートフォン１１４を持っている。それ故に、ユーザ１１０が、右腕を移動させることによって、スマートフォン１１４を使用するために、右手１１８に持たれたスマートフォン１１４をユーザ１１０の方に移動させると、スマートフォン１１４は、スマートウォッチ１１２の方に移動しうるか、またはスマートウォッチ１１２から離れうる。このケースでは、スマートフォン１１４をユーザ１１０の方に移動させる際の、スマートウォッチ１１２とスマートフォン１１４との間での相対運動は、スマートフォン１１４を使用するというユーザの意図を示す動きデータとして検出されうる。動きデータはその後、スマートフォン１１４を使用することに関連付けられた動きのパターンを示す基準動きデータと比較されうる。検出された動きデータおよび基準動きデータが類似していた場合、スマートウォッチ１１２は、ユーザ１１０によるアクセスのためにスマートフォン１１４をアクティブ化するために、制御信号を生成しうる。
【００２６】
[0038]いくつかの実施形態では、スマートウォッチ１１２は、スマートウォッチ１１２とスマートフォン１１４との間での相対運動を示すデータとしてスマートフォン１１４から受信された信号（例えば、ドップラ信号）中での周波数変化（例えば、周波数偏移（frequency shift））のパターンを使用しうる。例えば、スマートフォン１１４がスマートウォッチ１１２に対して移動する間に超音波信号、無線信号、等のような信号を送信すると、スマートウォッチ１１２とスマートフォン１１４との間での相対運動に起因して信号中でドップラ周波数偏移が生じうる。結果として、スマートウォッチ１１２は、スマートフォン１１４から周波数偏移された信号を受信しうる。このことから、スマートウォッチ１１２は、相対運動を示す受信されたドップラ信号から周波数変化のパターンを決定しうる。周波数変化のパターンはその後、スマートフォンを使用することに関連付けられた動きを示す基準パターンと比較されうる。一実施形態では、スマートウォッチ１１２は、信号中での周波数変化のパターンに関連付けられたデータを基準パターンに関連付けられたデータと比較しうる。データが類似していた場合、スマートウォッチ１１２は、スマートフォン１１４へのアクセスを認可するための制御信号を生成し、その制御信号をスマートフォン１１４に送信しうる。
【００２７】
[0039]スマートフォン１１４へのアクセスを認可する制御信号を受信することに応答して、スマートフォン１１４は、ユーザ１１０がスマートフォン１１４にアクセスするために自動的にアクティブ化されうる。図２Ｄは、ユーザ１１０によるアクセスのためにスマートウォッチ１１２によってアクティブ化されたスマートフォン１１４を見ているユーザを示す。いくつかの実施形態では、スマートフォン１１４は、自動的にロック解除されうるか、または電子メールアプリケーション、メッセージングアプリケーション、ＳＮＳアプリケーション、等をアクティブ化するといったような所定の機能を自動的に遂行しうる。スマートウォッチ１１２およびスマートフォン１１４の相対運動に基づいてスマートフォン１１４へのアクセスを可能にすることによって、ユーザ１１０は、追加の行動を遂行または追加の情報を入力することなしに、スマートフォン１１４に便利にアクセスしうる。
【００２８】
[0040]別の実施形態では、スマートフォン１１４は、ドップラ信号中での周波数変化のパターンとスマートフォンを使用することに関連付けられた動きを示す基準パターンとを比較することによって、スマートフォン１１４へのアクセスを認可するかどうかを決定しうる。このケースでは、スマートフォン１１４は、ドップラ信号中での周波数変化のパターンに関連付けられたデータを受信し、パターンが類似しているかどうかを決定するために、そのパターンデータを基準パターンデータと比較しうる。パターンが類似していると決定された場合、スマートフォン１１４は、ユーザ１１０によるアクセスのために自動的にアクティブ化されうる。
【００２９】
[0041]図３は、本開示の一実施形態にしたがって、スマートウォッチ１１２の動きおよび／または電子デバイス３９０の動きに応答して、電子デバイス３９０へのアクセスを認可するように構成されたスマートウォッチ１１２のブロック図を例示する。スマートウォッチ１１２は、プロセッサ３１０、記憶ユニット３３０、ネットワーク通信ユニット３４０、短距離通信ユニット３５０、動きセンサ３６０、およびドップラ信号受信機３７０を含みうる。スマートウォッチ１１２は、動き検出および処理能力を装備された任意の適したウェアラブルデバイスでありうる。電子デバイス３９０はまた、セルラ電話、スマートフォン、（例えば、スマートフォン１１４）、タブレットコンピュータ、ゲーミングデバイス、マルチメディアプレーヤ、等のような、動き検出および処理能力を装備された任意の適したデバイスでありうる。
【００３０】
[0042]スマートウォッチ１１２は、短距離通信ユニット３５０を介した、近接してロケートされた電子デバイス３９０との通信を確立するように構成されうる。短距離通信ユニット３５０は、Ｂｌｕｅｔｏｏｔｈ、Ｗｉ−Ｆｉ Ｄｉｒｅｃｔ、ＬＴＥ Ｄｉｒｅｃｔ、ＮＦＣ、ＵＷＢ、ＩＲ通信技術、等のような任意の適した通信技術を使用しうる。一実施形態にしたがって、スマートウォッチ１１２および電子デバイス３９０は、それらが近接しているときに互いを認識し、互いと通信するように構成されうる。例えば、スマートウォッチ１１２を身に着けているユーザ１１０が電子デバイス３９０の近くにロケートされると、スマートウォッチ１１２は、電子デバイス３９０を自動的に認識し、短距離通信ユニット３５０を介した電子デバイス３９０との通信を確立しうる。電子デバイス３９０との通信を確立すると、スマートウォッチ１１２は、電子デバイス３９０へのアクセスを認可するためのデータを送信および受信するために、短距離通信ユニット３５０を介して電子デバイス３９０と通信しうる。
【００３１】
[0043]スマートウォッチ１１２はまた、外部ネットワーク３８０上で、ネットワーク通信ユニット３４０を介して外部デバイスとワイヤレスで通信しうる。ネットワーク通信ユニット３４０は、ＣＤＭＡ、ＧＳＭ、ＬＴＥ、ＬＴＥ Ａｄｖａｎｃｅｄ、Ｗｉ−Ｆｉ、等のような任意の適したワイヤレスネットワーク通信技術を通じてネットワーク３８０と通信するように構成されうる。そのような通信スキームを使用して、スマートウォッチ１１２は、ネットワーク通信ユニット３４０を通じて、メッセージ、電子メール、ＳＮＳメッセージ、等のような情報をワイヤレスで送信および受信しうる。
【００３２】
[0044]スマートウォッチ１１２中の動きセンサ３６０は、スマートウォッチ１１２の動きを検出し、その動きを示すデータを取得するように構成されうる。スマートウォッチ１１２の動きを検出するために、動きセンサ３６０は、加速度計、ジャイロスコープ、等のような任意の適した動き感知デバイスを用いうる。一実施形態では、動きセンサ３６０は、スマートウォッチ１１２の動きを検出し、加速度データ、軌道データ、方位データ、および／または同様のものを含む動きデータを生成しうる。
【００３３】
[0045]スマートウォッチ１１２は、ドップラ信号受信機３７０を介して、スマートウォッチ１１２と電子デバイス３９０との間での相対運動を示すドップラ信号を受信しうる。ドップラ信号受信機３７０は、超音波信号、無線信号、等のような、相対運動に起因した周波数偏移を示しうる任意の適した信号を受信するように構成されうる。一実施形態では、ドップラ信号受信機３７０は、電子デバイス３９０がスマートウォッチ１１２に対して移動している際に、電子デバイス３９０から超音波信号のようなドップラ信号を受信しうる。ドップラ信号はその後、プロセッサ３１０に提供されえ、それは、ドップラ信号からの動きを示すデータを生成しうる。
【００３４】
[0046]スマートウォッチ１１２中の記憶ユニット３３０は、電子デバイス３９０へのアクセスを認可するかどうかを決定するための、プロセッサ３１０によってアクセスされうる認可データベース３３２を記憶しうる。認可データベース３３２は、動きにおける類似性の度合い（degree of similarity）を決定するための１つまたは複数のしきい値、周波数変化の１つまたは複数の基準パターン、およびドップラ信号中での周波数変化のパターンと周波数変化の基準パターンとの間における類似性の度合いを決定するための１つまたは複数のしきい値を含みうる。記憶ユニット３３０は、ＲＡＭ（ランダムアクセスメモリ）、ＲＯＭ（読取専用メモリ）、ＥＥＰＲＯＭ（登録商標）（電気的消去可能プログラマブル読取専用メモリ）、フラッシュメモリ、またはＳＳＤ（ソリッドステートドライブ）のような任意の適した記憶またはメモリデバイスを使用してインプリメントされ（implemented）うる。
【００３５】
[0047]プロセッサ３１０は、スマートウォッチ１１２を管理および動作させるように構成されうるマイクロプロセッサユニット（ＭＰＵ）、中央処理ユニット（ＣＰＵ）、またはアプリケーションプロセッサ（ＡＰ）でありうる。図３中に示されるように、プロセッサ３１０は、イベント検出ユニット３１２およびアクセス認可ユニット３１４を含みうる。初めに、電子デバイス３９０は、認可されていないユーザによるアクセスを防ぐために、ロックされたモードでありうる。電子デバイス３９０がそのようなロックされたモードである間に、スマートウォッチ１１２は、電子デバイス３９０を使用するというユーザの意図を示す所定のイベントを検出しうる。所定のイベントを検出することに応答して、スマートウォッチ１１２は、電子デバイス３９０へのアクセスを認可するかどうかを決定することを進めうる。
【００３６】
[0048]イベント検出ユニット３１２は、所定のイベントを検出し、電子デバイス３９０へのアクセスを認可するかどうかを決定するようにアクセス認可ユニット３１４に命令するように構成されうる。所定のイベントは、電子デバイスを使用するというユーザの意図を示すように所定されうる任意のイベントまたは動作を含みうる。一実施形態では、所定のイベントは、ユーザの手で電子デバイス３９０を持つまたは手に取るユーザの動作のような、ユーザと電子デバイス３９０との間での接触（例えば、タッチ）を含みうる。このケースでは、電子デバイス３９０は、ユーザとの接触を検出し、接触を示す信号をスマートウォッチ１１２に送信しうる。接触を示す信号に応答して、イベント検出ユニット３１２は、電子デバイス３９０を使用するというユーザの意図を示す所定のイベントとしてその信号を認識しうる。
【００３７】
[0049]加えてまたは代替として、電子メール、メッセージ、カレンダーイベント、等の受信のようなイベントは、電子デバイスを使用するというユーザの意図を予測し、所定のイベントとして認識されうる。そのようなイベントが検出または生成されると、イベント検出ユニット３１２は、電子デバイス３９０を使用するというユーザの意図を示す所定のイベントとしてそのイベントを識別しうる。一実施形態にしたがって、電子デバイス３９０は、電子メール、メッセージ、カレンダーイベント、等の受信のようなイベントを検出し、そのようなイベントの通知をスマートウォッチ１１２に送信しうる。イベント検出ユニット３１２は、通知を受信し、電子デバイス３９０を使用するというユーザの意図を示す所定のイベントとしてその通知を識別しうる。
【００３８】
[0050]追加または代替の実施形態では、スマートウォッチ１１２および／または電子デバイス３９０の１つまたは複数の動きまたは動きのパターンは、電子デバイス３９０を使用するというユーザの意図を示す所定のイベントであると決定されうる。スマートウォッチ１１２のケースでは、動きセンサ３６０は、スマートウォッチ１１２のそのような動きを検出し、その動きに関連付けられたデータをイベント検出ユニット３１２に送信しえ、それは、所定のイベントとしてその動きを識別しうる。その一方で、電子デバイス３９０の動きが検出され、その動きについてのデータが、電子デバイス３９０によってスマートウォッチ１１２に送信されうる。イベント検出ユニット３１２は、電子デバイス３９０の動きデータを受信し、受信された動きデータが所定のイベントを示していると識別しうる。
【００３９】
[0051]所定のイベントとしてイベントを識別すると、イベント検出ユニット３１２は、電子デバイス３９０へのアクセスを認可するかどうかを決定するようにアクセス認可ユニット３１４に命令しうる。加えて、イベント検出ユニット３１２は、スマートウォッチ１１２の動きを検出するように動きセンサ３６０に命令する信号、および電子デバイス３９０の動きを検出するように電子デバイス３９０に命令する信号を送りうる。電子デバイス３９０はその後、電子デバイス３９０の動きを検出し、電子デバイス３９０の動きに関連付けられたデータをスマートウォッチ１１２に送信しうる。
【００４０】
[0052]プロセッサ３１０中のアクセス認可ユニット３１４は、イベント検出ユニット３１２からの命令に応答して、電子デバイス３９０へのアクセスを認可するかどうかを決定するように構成されうる。図３中に示されるように、アクセス認可ユニット３１４は、動き処理ユニット３１６、ドップラ処理ユニット３１８、および認可信号生成ユニット３２０を含みうる。動き処理ユニット３１６は、スマートウォッチ１１２および電子デバイス３９０の動きに基づいて、電子デバイス３９０へのアクセスを認可するかどうかを決定するように構成されうる。ドップラ処理ユニット３１８は、電子デバイス３９０から受信された周波数偏移されたドップラ信号に関連付けられた周波数変化のパターンに基づいて、電子デバイス３９０へのアクセスを認可するかどうかを決定しうる。いくつかの実施形態では、動き処理ユニット３１６、ドップラ処理ユニット３１８、またはそれらの組み合わせは、データ処理ユニットと呼ばれうる。動き処理ユニット３１６またはドップラ処理ユニット３１８からの命令に応答して、認可信号生成ユニット３２０は、電子デバイス３９０へのアクセスを認可する制御信号を生成し、その信号を電子デバイス３９０に送信しうる。
【００４１】
[0053]いくつかの実施形態では、ユーザの腕の手首に身に着けられたスマートウォッチ１１２の動きは、同じ腕の手に持たれた電子デバイス３９０の動きに類似しうる。例えば、ユーザ１１０は初めに、ユーザの左腕の手首にスマートウォッチ１１２を身に着けていることがありうる。ユーザ１１０はその後、ユーザの左手に電子デバイス３９０を手に取り、電子デバイス３９０を使用するために、左腕をユーザ１１０の方に移動させうる。このケースでは、スマートウォッチ１１２および電子デバイス３９０は、腕の移動に応答して、類似したパターンまたは軌道で移動しうる。動きセンサ３６０は、スマートウォッチ１１２の動きを検出し、その動きを示すデータを動き処理ユニット３１６に提供しうる。その一方で、電子デバイス３９０の動きが検出され、その動きを示す動きデータは、電子デバイス３９０によってスマートウォッチ１１２に送信されうる。
【００４２】
[0054]アクセス認可ユニット３１４中の動き処理ユニット３１６は、動きセンサ３６０からスマートウォッチ１１２の動きに関連付けられた動きデータ、および電子デバイス３９０の動きに関連付けられた動きデータを受信するように構成されうる。動きデータを受信すると、動き処理ユニット３１６は、スマートウォッチ１１２の動きデータおよび電子デバイス３９０の動きデータが類似しているかどうかを決定しうる。動きデータが類似していると決定された場合、動き処理ユニット３１６は、電子デバイス３９０へのアクセスは認可されうると決定し、電子デバイス３９０へのアクセスを認可するように認可信号生成ユニット３２０に命令する信号を提供しうる。
【００４３】
[0055]アクセス認可ユニット３１４中の動き処理ユニット３１６は、スマートウォッチ１１２および電子デバイス３９０の動きにおける類似性の度合いに基づいて、電子デバイス３９０へのアクセスを認可するかどうかを決定しうる。一実施形態では、スマートウォッチ１１２の動きデータおよび電子デバイス３９０の動きデータは、度合い類似性を決定するために比較されうる。動き処理ユニット３１６は、類似性しきい値を取り出す（retrieve）ために、記憶ユニット３３０中の認可データベース３３２にアクセスしうる。認可データベース３３２は、感度の複数の度合いに関連付けられた複数の類似性しきい値を含み、任意の適した類似性しきい値は、スマートウォッチ１１２および電子デバイス３９０の動きにおける類似性を決定する際に使用するために選択されうる。類似性の度合いが類似性しきい値以上であった場合、スマートウォッチ１１２および電子デバイス３９０の動きは、類似していると決定されうる。その一方で、類似性の度合いが類似性しきい値未満であると決定された場合、動き処理ユニット３１６は、電子デバイス３９０へのアクセスは認可されないと決定しうる。このケースでは、電子デバイスへのアクセスが認可されないことを示す信号が生成され、認可信号生成ユニット３２０に提供されうる。代替として、いかなる信号も生成されないか、または認可信号生成ユニット３２０に提供されないことがありうる。
【００４４】
[0056]いくつかの実施形態では、スマートウォッチ１１２は、ドップラ信号中での周波数変化のパターンに基づいて、電子デバイス３９０へのアクセスを認可するかどうかを決定しうる。例えば、ユーザ１１０は初めに、ユーザの左腕の手首にスマートウォッチ１１２を身に着けていることがありうる。ユーザ１１０はその後、ユーザの右手に電子デバイス３９０を手に取り、電子デバイス３９０を使用するために、右腕をユーザ１１０の方に移動させうる。このケースでは、電子デバイス３９０は、ユーザの左腕の左手首のスマートウォッチ１１２の方に移動しうるか、またはスマートウォッチ１１２から離れうる。このケースでは、電子デバイス３９０は、電子デバイス３９０がユーザの手に持たれて、移動させられている間にドップラ信号を送信しうる。スマートウォッチ１１２中のドップラ信号受信機３７０は、電子デバイス３９０がユーザ１１０の方に移動させられている間に電子デバイス３９０からドップラ信号を受信しうる。このケースでは、電子デバイス３９０はまた、スマートウォッチ１１２の方に移動しうるか、またはスマートウォッチ１１２から離れうる。それ故に、スマートウォッチ１１２中のドップラ信号受信機３７０によって受信されたドップラ信号中の周波数は、スマートウォッチ１１２と電子デバイス３９０との間での相対運動に起因して偏移されうる。周波数偏移されたドップラ信号を受信すると、ドップラ信号受信機３７０は、周波数偏移されたドップラ信号をアクセス認可ユニット３１４中のドップラ処理ユニット３１８に提供しうる。
【００４５】
[0057]ドップラ信号受信機３７０から周波数偏移されたドップラ信号を受信すると、ドップラ処理ユニット３１８は、電子デバイス３９０を使用するというユーザの意図を示す動きデータとして、周波数偏移されたドップラ信号から周波数変化（例えば、周波数偏移）のパターンを決定しうる。例えば、複数の周波数偏移された値は、ドップラ信号中での周波数変化のパターンとして、周波数偏移されたドップラ信号から時間に応じて（as a function of time）検出されうる。このケースでは、時間に応じてマッピングされる周波数偏移された値は、周波数変化のパターンとして検出されうる。周波数変化のパターンが決定されると、ドップラ処理ユニット３１８は、電子デバイスを使用するというユーザの意図を示す、認可データベース３３２中の周波数変化の複数の基準パターンにアクセスしうる。図５に関連して以下により詳細に説明されるように、ドップラ処理ユニット３１８はその後、ドップラ信号中での周波数変化のパターンが周波数変化の基準パターンのうちのいずれかに類似しているかどうかを決定しうる。
【００４６】
[0058]一実施形態では、ドップラ信号中での周波数変化のパターンは、ドップラ信号中での周波数変化のパターンに類似している基準パターンを識別するために、複数の基準パターンと比較されうる。このケースでは、類似性の度合いは、ドップラ信号中での周波数変化のパターンと１つまたは複数の基準パターンとの間で決定されうる。ドップラ処理ユニット３１８はその後、所定のしきい値以上であるドップラ信号中での周波数変化のパターンとある程度の類似性を有する１つまたは複数の基準パターンを識別しうる。類似した基準パターンが識別された場合、ドップラ処理ユニット３１８は、電子デバイス３９０へのアクセスは認可されうると決定し、電子デバイス３９０へのアクセスを認可する制御信号を生成するように認可信号生成ユニット３２０に命令する信号を提供しうる。そうでない場合は、ドップラ処理ユニット３１８は、電子デバイス３９０へのアクセスは認可されないと決定しうる。
【００４７】
[0059]図４は、本開示の一実施形態にしたがって、スマートウォッチ１１２からの電子デバイス３９０へのアクセスのためのコマンドに応答してアクティブ化されうる電子デバイス３９０のブロック図を例示する。電子デバイス３９０は、接触センサ４１０、動きセンサ４２０、プロセッサ４３０、Ｉ／Ｏユニット４４０、記憶ユニット４５０、ネットワーク通信ユニット４６０、短距離通信ユニット４７０、およびドップラ信号送信機４８０を含みうる。図３に関連して説明されたように、電子デバイス３９０は、セルラ電話、スマートフォン（例えば、スマートフォン１１４）、タブレットコンピュータ、ゲーミングデバイス、マルチメディアプレーヤ、等のような任意の適した電子デバイスでありうる。
【００４８】
[0060]プロセッサ４３０は、制御ユニット４３２およびアクティブ化処理ユニット４３４を含みうる。プロセッサ４３０は、電子デバイス３９０を管理および動作させるように構成されうるマイクロプロセッサユニット（ＭＰＵ）、中央処理ユニット（ＣＰＵ）、またはアプリケーションプロセッサ（ＡＰ）でありうる。制御ユニット４３２は、電子デバイス３９０の動作全体を管理および制御するように構成されうる。アクティブ化処理ユニット４３４は、電子デバイス３９０をアクティブ化するための動作を管理および制御するように構成されうる。制御ユニット４３２およびアクティブ化処理ユニット４３４は、ソフトウェア、ハードウェア、またはそれらの組み合わせとしてインプリメントされうる。
【００４９】
[0061]電子デバイス３９０中のＩ／Ｏユニット４４０は、ユーザから入力を受信および／またはユーザのために情報を出力するように構成されうる。Ｉ／Ｏユニット４４０は、ディスプレイ画面、タッチ画面、タッチパッド、ボタン、キー、等のような、入力コマンドを受信するおよび／または情報を出力することが可能である任意の適したデバイスでありうる。電子デバイス３９０中の記憶ユニット４５０は、電子デバイス３９０によって使用または生成されうるデータ、アプリケーション、データベース、等を記憶するために使用されうる。記憶ユニット４５０は、ＲＡＭ、ＲＯＭ、ＥＥＰＲＯＭ、フラッシュメモリ、ＳＳＤ、等のような任意の適した記憶またはメモリデバイスを使用してインプリメントされうる。
【００５０】
[0062]電子デバイス３９０は、スマートウォッチ１１２が電子デバイス３９０中の短距離通信ユニット４７０の通信距離内にロケートされると、スマートウォッチ１１２との通信を確立しうる。短距離通信ユニット４７０は、スマートウォッチ１１２と通信するために、図３中に示されたスマートウォッチ１１２の短距離通信ユニット３５０によって使用されうる任意の適した通信技術を用いうる。一実施形態にしたがって、スマートウォッチ１１２および電子デバイス３９０は、短距離通信ユニット３５０および４７０が通信距離内にあるときに互いを認識し、互いと通信しうる。スマートウォッチ１１２との通信を確立すると、電子デバイス３９０は、電子デバイス３９０へのアクセスを認可するためのデータを送信および受信するために、短距離通信ユニット４７０を介してスマートウォッチ１１２と通信しうる。
【００５１】
[0063]電子デバイス３９０はまた、外部ネットワーク３８０上で、ネットワーク通信ユニット４６０を介して外部デバイスとワイヤレスで通信しうる。ネットワーク通信ユニット４６０は、ＣＤＭＡ、ＧＳＭ、ＬＴＥ、ＬＴＥ Ａｄｖａｎｃｅｄ、Ｗｉ−Ｆｉ、等のような任意の適したワイヤレスネットワーク通信技術を通じてネットワーク３８０と通信するように構成されうる。この構成では、電子デバイス３９０はまた、ネットワーク通信ユニット４６０を通じて、メッセージ、電子メール、ＳＮＳメッセージ、等のような情報をワイヤレスで送信および受信しうる。
【００５２】
[0064]電子デバイス３９０中の接触センサ４１０は、電子デバイス３９０とユーザとの間での接触（例えば、タッチ）を検出するように構成されうる。電子デバイス３９０とのユーザの接触を検出するために、接触センサ４１０は、触覚センサ、圧力センサ、温度センサ、タッチセンサ（例えば、タッチ画面）、等のような、ユーザによる物理的な接触またはタッチを検出することが可能である任意の適したセンサまたは感知デバイスを含み、電子デバイス３９０中の任意の適したロケーション中にロケートされうる。ユーザが電子デバイス３９０にタッチまたは接触すると、接触センサ４１０は、接触を示す信号を生成し、その信号をアクティブ化処理ユニット４３４に提供しうる。アクティブ化処理ユニット４３４はその後、短距離通信ユニット４７０を介して、接触を示す信号をスマートウォッチ１１２に送信しうる。
【００５３】
[0065]電子デバイス３９０中の動きセンサ４２０は、電子デバイス３９０の動きを検出し、その動きを示すデータを生成するように構成されうる。いくつかの実施形態では、動きセンサ４２０は、電子デバイス３９０の動きを検出し、加速度データ、軌道データ、方位データ、および／または同様のものを含む動きデータを生成しうる。電子デバイス３９０の動きを検出するために、動きセンサ４２０は、加速度計、ジャイロスコープ、等のような任意の適した動き感知デバイスを用いうる。一実施形態では、電子デバイスを使用するというユーザの意図を示す動きは、動きセンサ４２０によって検出されうる。例えば、動きセンサ４２０は、電子デバイス３９０を手に取る際のユーザの動きを検出し、検出された動きについての動きデータを生成しうる。動きデータはその後、アクティブ化処理ユニット４３４に提供されえ、それは、短距離通信ユニット４７０を介して、電子デバイス３９０を使用するというユーザの意図を示す動きデータをスマートウォッチ１１２に送信しうる。
【００５４】
[0066]加えてまたは代替として、電子デバイス３９０は、電子メール、メッセージ、カレンダーイベント、等を受信しうる。そのようなイベントは、電子デバイス３９０を使用するというユーザの意図を予測しえ、電子デバイス３９０を使用するというユーザの意図を示すと考えられうる。そのようなイベントが受信または生成されると、アクティブ化処理ユニット４３４は、短距離通信ユニット４７０を介して、電子デバイス３９０を使用するというユーザの意図を示す信号をスマートウォッチ１１２に送信しうる。
【００５５】
[0067]スマートウォッチ１１２中のイベント検出ユニット３１２は、電子デバイス３９０中のアクティブ化処理ユニット４３４から、電子デバイス３９０を使用するというユーザの意図を示す接触、動き、および／またはイベントを示す１つまたは複数の信号を受信しうる。それらの信号に応答して、イベント検出ユニット３１２は、図３に関連して説明されたように、電子デバイス３９０を使用するというユーザの意図を示す１つまたは複数の所定のイベントとしてそれらの信号を認識しうる。１つまたは複数の所定のイベントを認識すると、イベント検出ユニット３１２は、動きを検出し、短距離通信ユニット３５０を介してドップラ信号を送信し始めるように電子デバイス３９０に命令する信号を送信しうる。電子デバイス３９０中のアクティブ化処理ユニット４３４は、短距離通信ユニット４７０を介して信号を受信し、動きを検出し始めるための命令を動きセンサ４２０に、およびドップラ信号を送信し始めるための命令をドップラ信号送信機４８０に提供しうる。
【００５６】
[0068]アクティブ化処理ユニット４３４からの命令に応答して、動きセンサ４２０は、電子デバイス３９０の動きを検出し始めうる。動きを検出すると、動きセンサ４２０は、検出された動きについての動きデータを生成し、動きデータをアクティブ化処理ユニット４３４に提供しうる。アクティブ化処理ユニット４３４はその後、短距離通信ユニット４７０を介して、動きデータをスマートウォッチ１１２中のアクセス認可ユニット３１４に送信しうる。
【００５７】
[0069]ドップラ信号送信機４８０は、ドップラ信号を送信し始めるための命令をアクティブ化処理ユニット４３４から受信しうる。ドップラ信号送信機４８０は、超音波信号、無線信号、等のような、相対運動に起因した周波数偏移を示しうる任意の適した信号を送信するように構成されうる。命令に応答して、ドップラ信号送信機４８０は、ドップラ信号を送信し始めうる。スマートウォッチ１１２中のドップラ信号受信機３７０は、電子デバイス３９０とスマートウォッチ１１２との間での相対運動に起因して周波数偏移されたドップラ信号を受信しうる。
【００５８】
[0070]スマートウォッチ１１２は、電子デバイス３９０へのアクセスを認可する制御信号を生成し、短距離通信ユニット３５０を介して、その制御信号を電子デバイス３９０に送信しうる。アクティブ化処理ユニット４３４は、電子デバイス３９０へのアクセスを認可する制御信号を受信し、ユーザによるアクセスを可能にするために、電子デバイス３９０をアクティブ化しうる。一実施形態では、アクティブ化処理ユニット４３４は、スタートアップまたはホーム画面を表示するために電子デバイス３９０を自動的にロック解除することによって、またはユーザによって追加の行動を遂行あるいは追加の情報を入力することなしに所定の機能を遂行することによって、電子デバイス３９０をアクティブ化しうる。例えば、所定のイベントが電子メール、メッセージ、またはＳＮＳメッセージを受信するといったようなイベントであるとき、アクティブ化処理ユニット４３４は、電子メールアプリケーション、メッセージングアプリケーション、ＳＮＳアプリケーション、等をアクティブ化しうる。このケースでは、特定の電子メール、メッセージ、またはＳＮＳメッセージが直接アクティブ化され、Ｉ／Ｏユニット４４０のディスプレイ画面上に表示されうる。
【００５９】
[0071]加えてまたは代替として、電子デバイス３９０は、スマートウォッチ１１２および電子デバイス３９０の動きまたはドップラ信号中での周波数変化のパターンに基づいて、電子デバイス３９０へのアクセスを認可するかどうかを決定しうる。このケースでは、アクティブ化処理ユニット４３４は、スマートウォッチ１１２からスマートウォッチ１１２の動きデータまたはドップラ信号中での周波数変化のパターンを受信しうる。さらに、電子デバイス３９０はまた、所定のイベントが検出されたかどうかを決定するように構成されうる。いくつかの実施形態では、電子デバイス３９０中のプロセッサ４３０は、スマートウォッチ１１２のプロセッサ３１０中の１つまたは複数の処理ユニットを含みうる。例えば、プロセッサ４３０はまた、スマートウォッチ１１２中のイベント検出ユニット３１２、動き処理ユニット３１６、および／またはドップラ処理ユニット３１８を含みうる。加えて、電子デバイス３９０中の記憶ユニット４５０は、スマートウォッチ１１２の認可データベース３３２を記憶しうる。
【００６０】
[0072]図５は、本開示の一実施形態にしたがって、電子デバイス３９０から受信されたドップラ信号に応答して、電子デバイス３９０へのアクセスを認可するかどうかを決定するように構成されたスマートウォッチ１１２中のドップラ処理ユニット３１８のブロック図を例示する。ドップラ処理ユニット３１８は、パターン検出ユニット５１０およびパターン比較ユニット５２０を含みうる。一実施形態では、ドップラ処理ユニット３１８は、イベント検出ユニット３１２からの、電子デバイス３９０へのアクセスを認可するかどうかを決定するための命令に応答してアクティブ化されうる。
【００６１】
[0073]パターン検出ユニット５１０は、ドップラ信号受信機３７０からドップラ信号を受信しうる。電子デバイス３９０中のドップラ信号送信機４８０からドップラ信号受信機３７０によって受信されたドップラ信号は、スマートウォッチ１１２と電子デバイス３９０との間での相対運動に起因して周波数偏移されうる。周波数偏移されたドップラ信号を受信すると、パターン検出ユニット５１０は、スマートウォッチ１１２と電子デバイス３９０との間での相対運動を示す動きデータとして、ドップラ信号中での周波数変化のパターンを決定しうる。
【００６２】
[0074]一実施形態では、パターン検出ユニット５１０は、ドップラ信号中での周波数変化のパターンとして、周波数偏移されたドップラ信号から時間に応じて複数の周波数偏移された値を検出しうる。例えば、時間に応じてマッピングされる周波数偏移された値は、周波数変化のパターンとして検出されうる。いくつかの実施形態では、周波数変化のパターンは、ドップラ信号中の最大の周波数偏移された値、ある特定の時点で（例えば、最大の周波数偏移が生じた時に）取得されたドップラ信号についての周波数スペクトルの形状、ドップラ信号中での周波数偏移の方向、等として決定されうる。周波数変化のパターンを決定すると、パターン検出ユニット５１０は、決定されたパターンをパターン比較ユニット５２０に提供しうる。
【００６３】
[0075]ドップラ処理ユニット３１８中のパターン比較ユニット５２０は、ドップラ信号中での周波数変化のパターンを受信し、電子デバイスを使用するというユーザの意図を示す、認可データベース３３２中の周波数変化の複数の基準パターンにアクセスしうる。ドップラ信号中での周波数変化のパターンはその後、ドップラ信号中での周波数変化のパターンに類似している基準パターンを識別するために、認可データベース３３２からの１つまたは複数の基準パターンと比較されうる。一実施形態では、類似性の度合いは、ドップラ信号中での周波数変化のパターンと１つまたは複数の基準パターンとの間で決定されうる。パターン比較ユニット５２０はその後、所定のしきい値以上の程度の類似性を有する１つまたは複数の基準パターンを識別しえ、それは、複数の感度レベルに関連付けられた複数の所定のしきい値から選択されうる。類似した基準パターンが識別された場合、パターン比較ユニット５２０は、電子デバイス３９０へのアクセスは認可されうると決定し、電子デバイス３９０へのアクセスを認可する制御信号を生成するように認可信号生成ユニット３２０に命令する信号を提供しうる。認可信号生成ユニット３２０は、電子デバイスへのアクセスを認可する制御信号を生成し、短距離通信ユニット３５０を介して、その信号を電子デバイス３９０に送信しうる。その一方で、類似した基準パターンが識別されなかった場合、パターン比較ユニット５２０は、電子デバイス３９０へのアクセスは認可されないと決定しうる。
【００６４】
[0076]いくつかの実施形態では、スマートウォッチ１１２および／または電子デバイス３９０は、ドップラ信号を送信および受信しうるドップラ信号トランシーバを装備されうる。加えてまたは代替として、スマートウォッチ１１２は、ドップラ信号を送信するように構成され、電子デバイス３９０は、ドップラ信号を受信するように構成されうる。別の実施形態では、スマートウォッチ１１２または電子デバイス３９０のいずれか中のドップラ信号トランシーバは、ドップラ信号を送信し、反射されたドップラ信号を受信するように構成されうる。
【００６５】
[0077]図６は、本開示の一実施形態にしたがって、スマートウォッチ１１２および電子デバイス３９０のうちの少なくとも１つの動きに応答して、電子デバイス３９０へのアクセスを認可するための、スマートウォッチ１１２中で遂行される方法６００のフローチャートを例示する。スマートウォッチ１１２および電子デバイス３９０の短距離通信ユニット３５０および４７０が通信距離内にあるとき、６１０において、スマートウォッチ１１２と電子デバイス３９０との間での通信が確立されうる。通信を確立すると、スマートウォッチ１１２は、電子デバイス３９０へのアクセスを認可するためのデータを送信および受信するために、短距離通信ユニット３５０および４７０を介して電子デバイス３９０と通信しうる。
【００６６】
[0078]６２０において、スマートウォッチ１１２は、スマートウォッチ１１２および電子デバイス３９０のうちの少なくとも１つの動きを示すデータを取得しうる。スマートウォッチ１１２中の動きセンサ３６０は、スマートウォッチ１１２の動きを検出しうる。その一方で、電子デバイス３９０中の動きセンサ４２０は、電子デバイス３９０の動きを検出し、その後、電子デバイス３９０の動きを示す動きデータをスマートウォッチ１１２に送信しうる。一実施形態では、スマートウォッチ１１２および電子デバイス３９０のうちの少なくとも１つ中で所定のイベントを検出すると、スマートウォッチ１１２は、スマートウォッチ１１２および電子デバイス３９０のうちの少なくとも１つの動きを示すデータを取得しうる。このケースでは、所定のイベントは、電子デバイス３９０との接触、メッセージの受信、スマートウォッチ１１２の所定の動き、および電子デバイス３９０の所定の動きのうちの少なくとも１つを含みうる。
【００６７】
[0079]６３０において、スマートウォッチ１１２および電子デバイス３９０のうちの少なくとも１つの動きを示す取得されたデータに基づいて、スマートウォッチ１１２は、電子デバイス３９０へのアクセスを認可する制御信号を生成しうる。一実施形態では、スマートウォッチ１１２および電子デバイス３９０のうちの少なくとも１つの動きを示す取得されたデータは、スマートウォッチ１１２の動きおよび電子デバイス３９０の動きを含みうる。この実施形態では、取得された動きデータは、スマートウォッチ１１２および電子デバイス３９０の加速度データ、軌道データ、方位データ、およびロケーションデータのうちの少なくとも１つを含みうる。別の実施形態にしたがって、取得されたデータは、電子デバイス３９０から受信されたドップラ信号中での周波数変化のパターンを含みえ、それは、スマートウォッチ１１２と電子デバイス３９０との間での相対運動を示しうる。
【００６８】
[0080]６４０において、電子デバイス３９０へのアクセスを認可するための制御信号がその後、スマートウォッチ１１２の短距離通信ユニット３５０を介して電子デバイス３９０に送信されうる。このプロセスでは、制御信号は、電子デバイス３９０へのアクセスを提供するための機能を遂行するように電子デバイス３９０に命令するように適合されうる。例えば、電子デバイス３９０は、自動的にロック解除されうるか、または電子メールアプリケーション、メッセージングアプリケーション、ＳＮＳアプリケーション、等をアクティブ化するといったような所定の機能を自動的に遂行しうる。スマートウォッチ１１２および電子デバイス３９０のうちの少なくとも１つの動きを示すデータに基づいて電子デバイス３９０へのアクセスを可能にすることによって、ユーザは、ユーザによって追加の行動を遂行または追加の情報を入力することなしに、電子デバイス３９０に便利にアクセスしうる。
【００６９】
[0081]図７は、本開示の一実施形態にしたがって、スマートウォッチ１１２の動きおよび電子デバイス３９０の動きに基づいて、電子デバイス３９０へのアクセスを認可する制御信号を生成するための、スマートウォッチ１１２中で遂行される方法６３０のフローチャートを例示する。６２０において、スマートウォッチ１１２が、スマートウォッチ１１２および電子デバイス３９０の動きを示すデータを取得すると、６３０において、スマートウォッチ１１２は、電子デバイス３９０へのアクセスを認可するかどうかを決定するために、取得された動きデータを比較しうる。例示された実施形態では、７１０において、スマートウォッチ１１２は、スマートウォッチ１１２および電子デバイス３９０の動きを比較するために、スマートウォッチ１１２および電子デバイス３９０の動きにおける類似性の度合いを決定しうる。
【００７０】
[0082]７２０において、動きにおける類似性の度合いは、所定のしきい値と比較されうる。動きにおける類似性の度合いがしきい値以上であると決定された場合（すなわち、７２０においてＹＥＳ）、方法は、電子デバイス３９０へのアクセスを認可する制御信号を生成するために、７３０に進みうる。その一方で、動きにおける類似性の度合いがしきい値未満であると決定された場合（すなわち、７２０においてＮＯ）、方法は、６１０に進みえ、電子デバイス３９０へのアクセスは、認可されない。このケースでは、７２０において、スマートウォッチ１１２中の動き処理ユニット３１６が、類似性の度合いをしきい値と比較しうる。
【００７１】
[0083]図８は、本開示の一実施形態にしたがって、電子デバイス３９０から受信されたドップラ信号中での周波数変化のパターンおよび基準パターンに基づいて、電子デバイス３９０へのアクセスを認可する制御信号を生成するための、スマートウォッチ１１２中で遂行される方法６３０のフローチャートを例示する。電子デバイス３９０から送信された信号（例えば、ドップラ信号）を受信すると、６２０において、スマートウォッチ１１２は、スマートウォッチ１１２と電子デバイス３９０との間での相対運動を示すデータとして、その信号中での周波数変化のパターンを決定しうる。スマートウォッチ１１２はその後、信号中での周波数変化のパターンをスマートウォッチ１１２の認可データベース３３２中に記憶された基準パターンと比較しうる。
【００７２】
[0084]例示された実施形態では、８１０において、スマートウォッチ１１２は、パターンを比較するために、受信された信号中での周波数変化のパターンと基準パターンとの間における類似性の度合いを決定しうる。８２０において、周波数変化のパターンと基準パターンとの間における類似性の度合いは、所定のしきい値と比較されうる。類似性の度合いがしきい値以上であると決定された場合（すなわち、８２０においてＹＥＳ）、方法は、電子デバイス３９０へのアクセスを認可する制御信号を生成するために、８３０に進みうる。その一方で、類似性の度合いがしきい値未満であると決定された場合（すなわち、８２０においてＮＯ）、方法は、６１０に進みえ、電子デバイス３９０へのアクセスは、認可されない。このケースでは、８２０において、スマートウォッチ１１２中のドップラ処理ユニット３１８が、類似性の度合いをしきい値と比較しうる。
【００７３】
[0085]図９Ａ〜９Ｃは、本開示の一実施形態にしたがって、スマートグラス９１２によってスマートフォン９１４へのアクセスを認可するための、スマートグラス９１２を身に着け、片方の手９１６にスマートフォン９１４を持っているユーザ９１０による動きのシーケンスを例示する。初めに、スマートグラス９１２は、スマートフォン９１４のイメージをキャプチャし、キャプチャされたイメージをスマートフォン９１４の基準イメージと比較しうる。スマートフォン９１４のキャプチャされたイメージが基準イメージに類似していると決定された場合、スマートフォン９１４へのアクセスを認可するための信号（例えば、命令、コマンド、等）が生成され、スマートフォン９１４に送信されうる。さらなる実施形態では、スマートグラス９１２は、スマートフォン９１４の動きを検出し、スマートフォン９１４によって検出されうるスマートフォン９１４の動きを受信しうる。スマートグラス９１２は、検出された動きをスマートフォン９１４から受信された動きと比較し、動きが類似していると決定された場合にスマートフォン９１４へのアクセスを認可しうる。このケースでは、スマートフォン９１４へのアクセスを認可するための信号が生成され、スマートフォン９１４に送信されうる。その信号に応答して、スマートフォン９１４は、ユーザ９１０によるアクセスのために自動的にアクティブ化されうる。例えば、スマートフォン９１４は、自動的にロック解除されうるか、または電子メールアプリケーション、メッセージングアプリケーション、ＳＮＳアプリケーション、等をアクティブ化するといったような所定の機能を自動的に遂行しうる。
【００７４】
[0086]図９Ａは、本開示の一実施形態にしたがって、スマートグラス９１２を身に着け、初めにユーザの手９１６に持たれたスマートフォン９１４を見ているユーザ９１０を示す。スマートウォッチ９１２およびスマートフォン９１４は、Ｂｌｕｅｔｏｏｔｈ、Ｗｉ−Ｆｉ Ｄｉｒｅｃｔ、ＬＴＥ Ｄｉｒｅｃｔ、ＮＦＣ、ＵＷＢ、ＩＲ通信技術、等のような任意の適した短距離通信技術を使用して互いとワイヤレスで通信を確立するように構成されうる。スマートウォッチ９１２およびスマートフォン９１４はまた、ＣＤＭＡ、ＧＳＭ、ＬＴＥ、ＬＴＥ Ａｄｖａｎｃｅｄ、Ｗｉ−Ｆｉ、等のような任意の適した通信スキームを通じて、データ通信ネットワークとワイヤレスで通信しうる。そのような通信スキームに基づいて、スマートグラス９１２およびスマートフォン９１４は、通信ネットワークを通じて、メッセージ、電子メール、ＳＮＳメッセージ、等のような情報を送信および受信しうる。
【００７５】
[0087]図９Ａでは、スマートフォン９１４は初めに、認可されていないユーザによるアクセスを防ぐために、ロックされたモードでありうる。このモードである間に、ユーザ９１０は、ウェブサーフィンをする、音楽を聴く、ゲームをする、電子ブックを読む、等のような、スマートフォン９１４中の機能またはアプリケーションにアクセスするために、スマートフォン９１４を使用するという意図を形成しうる。ユーザ９１０はまた、スマートフォン９１４から、メッセージ、電子メール、カレンダーイベント、等の受信のようなイベントを示す通知を受信すると、スマートフォン９１４を使用するという意図を形成しうる。そのようなケースでは、ユーザ９１０は、スマートフォン９１４を使用するために、ユーザの手９１６中のスマートフォン９１４をユーザ９１０の方に移動させうる。
【００７６】
[0088]初めに、ユーザ９１０は、ユーザの手９１６にスマートフォン９１４を手に取り、図９Ａ中に示されるように、ユーザの手９１６にスマートフォン９１４を持ちうる。スマートフォン９１４を手に取る前に、ユーザ９１０は、スマートフォン９１４にタッチまたは接触していることがありうる。そのようなケースでは、スマートフォン９１４は、ユーザの手９１６との接触、およびスマートフォン９１４を使用するためにスマートフォン９１４をユーザ９１０の方に移動させるユーザの動作の動きを示すスマートフォン９１４の動き、を検出することを進めうる。そのような接触または動きを検出すると、スマートフォン９１４は、接触またはスマートフォンを使用するというユーザの意図を示す動きの検出を示す信号をスマートグラス９１２に送信しうる。
【００７７】
[0089]スマートフォン９１４からの、接触または動きの検出を示す信号に応答して、スマートグラス９１２は、スマートフォン９１４の１つまたは複数のイメージをキャプチャしうる。一実施形態では、スマートフォン９１４を手に取ると、ユーザ９１０は、図９Ａ中に示されるように、ユーザの手９１６に持たれたスマートフォン９１４を見うる。ユーザ９１０がスマートフォン９１４を見ている間に、スマートグラス９１２は、スマートフォン９１４を含むシーンのイメージ９１８をキャプチャし、イメージ９１８中のスマートフォン９１４のイメージを検出しうる。スマートフォン９１４のイメージは、検証のために、抽出され、事前に登録されているスマートフォン９１４の基準イメージと比較されうる。スマートフォン９１４の抽出されたイメージがスマートフォン９１４の基準イメージと一致することが検証された場合、スマートグラス９１２は、スマートフォン９１４へのアクセスを認可する制御信号を生成し、その制御信号をスマートフォン９１４に送信しうる。
【００７８】
[0090]初めにスマートフォン９１４を手に取った後で、ユーザ９１０は、本開示の一実施形態にしたがって、図９Ｂ中に図示されるように、ユーザの腕９２０を移動させることによって、スマートフォン９１４を使用するために、スマートフォン９１４をユーザ９１０の方に移動させうる。一実施形態では、スマートグラス９１２は、スマートフォン９１４の動きを検出し、スマートフォン９１４から、ユーザの腕９２０を移動させることに関連付けられた、スマートフォン９１４の動きについての動きデータを受信しうる。スマートフォン９１４の動きについての検出された動きデータおよびスマートフォン９１４からの受信された動きデータはその後、それらの動きについての動きデータが類似しているかどうかを決定するために比較されうる。動きデータが類似していた場合、スマートグラス９１２は、スマートフォン９１４へのアクセスを認可する制御信号を生成し、その制御信号をスマートフォン９１４に送信しうる。
【００７９】
[0091]一実施形態では、スマートグラス９１２は、ユーザの腕９２０を移動させることに関連付けられたスマートフォン９１４の動きに基づいて、スマートフォン９１４へのアクセスを認可するかどうかを決定しうる。そのような決定は、外観が同一または類似でありうる２つ以上のスマートフォン間を区別することを可能にしうる。例えば、２つ以上のスマートフォンは、１つの製造者からの同一モデルであり、スマートグラス９１２は、アクセスされるように認可されるデバイスの登録されたイメージとしてスマートフォンのうちの１つのイメージを記憶しうる。２つのそのようなスマートフォンのイメージがスマートグラス９１２によってキャプチャされた場合、スマートグラス９１２は初めに、登録されたイメージに関連付けられているとして両方のスマートフォンを認識しうる。このケースでは、スマートグラス９１２は、両方のスマートフォンの動き、およびスマートフォンのうちのいずれかから受信されうる動きデータに基づいて、登録されたイメージに関連付けられたデバイスとしてスマートフォンのうちの１つを識別しうる。
【００８０】
[0092]スマートグラス９１２から、スマートフォン９１４へのアクセスを認可する制御信号を受信することに応答して、スマートフォン９１４は、ユーザ９１０によるアクセスのためにアクティブ化されうる。図９Ｃは、本開示の一実施形態にしたがって、スマートグラス９１２からの制御信号に応答して、ユーザ９１０によるアクセスのためにアクティブ化されたスマートフォン９１４を見ているユーザ９１０を示す。示されるように、スマートフォン９１４は、制御信号に応答してロック解除されたスタートアップまたはホーム画面９３０を表示する。いくつかの実施形態では、スマートフォン９１４は、自動的にロック解除されうるか、または電子メールアプリケーション、メッセージングアプリケーション、ＳＮＳアプリケーション、等をアクティブ化するといったような所定の機能を自動的に遂行しうる。スマートフォン９１４の１つまたは複数のイメージおよび／またはスマートフォン９１４の動きに基づいて、スマートフォン９１４へのアクセスを可能にするかどうかを決定することによって、スマートグラス９１２は、ユーザ９１０が、ユーザ９１０からの追加の入力なしに、スマートフォン９１４に便利にアクセスすることを可能にしうる。
【００８１】
[0093]別の実施形態では、スマートフォン９１４は、スマートフォン９１４の１つまたは複数のイメージおよび／またはスマートフォン９１４の動きに基づいて、スマートフォン９１４へのアクセスを認可するかどうかを決定しうる。このケースでは、スマートフォン９１４は、スマートグラス９１２によってキャプチャされたスマートフォン９１４のイメージを受信し、そのイメージをスマートフォン９１４の基準イメージと比較しうる。スマートフォン９１４の１つまたは複数のイメージがスマートフォン９１４の基準イメージに類似していた場合、スマートフォン９１４は、ユーザによるアクセスのためにアクティブ化されうる。スマートフォン９１４は加えて、スマートフォン９１４の動きを検出し、またスマートグラス９１２によって検出されたスマートフォン９１４の動きに関連付けられたデータも受信しうる。検出された動きおよび受信された動きについての動きデータはその後、電子デバイス３９０へのアクセスを認可するかどうかを決定するために比較されうる。動きが類似していると決定された場合、スマートフォン９１４は、ユーザ９１０によるアクセスのためにアクティブ化されうる。
【００８２】
[0094]図１０は、本開示の一実施形態にしたがって、電子デバイス３９０の１つまたは複数のイメージおよび電子デバイス３９０の動きに基づいて、電子デバイス３９０へのアクセスを認可するように構成されたスマートグラス９１２のブロック図を例示する。スマートグラス９１２は、プロセッサ１０１０、記憶ユニット１０３０、ネットワーク通信ユニット１０４０、短距離通信ユニット１０５０、およびイメージセンサ１０６０を含みうる。スマートグラス９１２は、イメージ検出および処理能力を装備された任意の適したウェアラブルデバイスでありうる。
【００８３】
[0095]スマートグラス１１２は、短距離通信ユニット１０５０の通信距離内にロケートされた電子デバイス３９０との通信を確立するように構成されうる。短距離通信ユニット１０５０は、Ｂｌｕｅｔｏｏｔｈ、Ｗｉ−Ｆｉ Ｄｉｒｅｃｔ、ＬＴＥ Ｄｉｒｅｃｔ、ＮＦＣ、ＵＷＢ、ＩＲ通信技術、等のような任意の適した通信技術を使用しうる。一実施形態にしたがって、スマートグラス９１２および電子デバイス３９０は、短距離通信ユニット４７０および１０５０が互いの通信距離内にあるときに互いを認識し、互いと通信するように構成されうる。電子デバイス３９０との通信を確立すると、スマートグラス９１２は、電子デバイス３９０へのアクセスを認可するためのデータを送信および受信するために、短距離通信ユニット１０５０を介して電子デバイス３９０と通信しうる。
【００８４】
[0096]スマートグラス９１２はまた、外部ネットワーク３８０上で、ネットワーク通信ユニット１０４０を介して外部デバイスとワイヤレスで通信しうる。ネットワーク通信ユニット１０４０は、ＣＤＭＡ、ＧＳＭ、ＬＴＥ、ＬＴＥ Ａｄｖａｎｃｅｄ、Ｗｉ−Ｆｉ、等のような任意の適したワイヤレスネットワーク通信スキームを通じて外部ネットワーク３８０と通信するように構成されうる。そのような通信スキームを使用して、スマートグラス９１２は、ネットワーク通信ユニット１０４０を通じて、メッセージ、電子メール、ＳＮＳメッセージ、等のような情報をワイヤレスで送信および受信しうる。
【００８５】
[0097]スマートグラス９１２中のイメージセンサ１０６０は、電子デバイス３９０を含むシーンの１つまたは複数のイメージを検出またはキャプチャし、それらのイメージについてのイメージデータを生成するように構成されうる。電子デバイス３９０を含みうるイメージを検出またはキャプチャするために、イメージセンサ１０６０は、ＣＣＤ（電荷結合素子）、ＣＭＯＳ（相補型金属酸化膜半導体）またはＮＭＯＳ（Ｎ型金属酸化膜半導体）技術に基づくアクティブピクセルセンサ（active pixel sensor）、等のような任意の適したイメージ感知または検出デバイスを用いうる。イメージセンサ１０６０は、電子デバイス３９０を含みうる１つまたは複数のイメージを検出し、それらのイメージに関連付けられたイメージデータをスマートグラス９１２中のプロセッサ１０１０に提供しうる。
【００８６】
[0098]スマートグラス９１２中の記憶ユニット１０３０は、電子デバイス３９０へのアクセスを認可するかどうかを決定する際に使用するためにプロセッサ１０１０によってアクセスされうる認可データベース１０３２を記憶しうる。認可データベース１０３２は、イメージまたは動き間における類似性の度合いを決定するための１つまたは複数のしきい値および電子デバイス３９０の基準イメージを含みうる。記憶ユニット１０３０は、ＲＡＭ、ＲＯＭ、ＥＥＰＲＯＭ、フラッシュメモリ、ＳＳＤ、等のような任意の適した記憶またはメモリデバイスを使用してインプリメントされうる。
【００８７】
[0099]スマートグラス９１２中のプロセッサ１０１０は、電子デバイスを使用するというユーザの意図を示す所定のイベントを検出し、電子デバイス３９０へのアクセスを認可するかどうかを決定するように構成されうる。プロセッサ１０１０は、スマートウォッチ１１２を管理および動作させるように構成されうるマイクロプロセッサユニット（ＭＰＵ）、中央処理ユニット（ＣＰＵ）、またはアプリケーションプロセッサ（ＡＰ）でありうる。図１０中に示されるように、プロセッサ１０１０は、イベント検出ユニット１０１２およびアクセス認可ユニット１０１４を含みうる。初めに、電子デバイス３９０は、認可されていないユーザによるアクセスを防ぐために、ロックされたモードでありうる。一実施形態にしたがって、電子デバイス３９０がそのようなロックされたモードである間に、イベント検出ユニット１０１２は、電子デバイス３９０を使用するというユーザの意図を示す所定のイベントを検出しうる。所定のイベントを検出することに応答して、アクセス認可ユニット１０１４は、電子デバイス３９０へのアクセスを認可するかどうかを決定することを進めうる。
【００８８】
[00100]イベント検出ユニット１０１２は、所定のイベントを検出し、電子デバイス３９０へのアクセスを認可するかどうかを決定するようにアクセス認可ユニット１０１４に命令するように構成されうる。所定のイベントは、電子デバイスを使用するというユーザの意図を示すように所定されうる任意のイベントまたは動作を含みうる。一実施形態では、所定のイベントは、ユーザによる電子デバイス３９０を持つまたは手に取る動作のような、ユーザと電子デバイス３９０との間での接触（例えば、タッチ）を含みうる。電子デバイス３９０は、接触センサ４１０を介してユーザとのそのような接触を検出し、接触を示す信号をスマートグラス９１２に送信しうる。接触を示す信号に応答して、イベント検出ユニット１０１２は、電子デバイス３９０を使用するというユーザの意図を示す所定のイベントとしてその信号を認識しうる。
【００８９】
[0100]加えてまたは代替として、電子メール、メッセージ、カレンダーイベント、等の受信のようなイベントは、所定のイベントとして認識されうる。そのようなイベントが外部ネットワーク３８０または電子デバイス３９０から受信されると、イベント検出ユニット１０１２は、電子デバイス３９０を使用するというユーザの意図を示す所定のイベントとしてそのイベントを識別しうる。一実施形態にしたがって、電子デバイス３９０は、電子メール、メッセージ、カレンダーイベント、等の受信のようなイベントを検出し、そのようなイベントの通知をスマートグラス９１２に送信しうる。イベント検出ユニット１０１２は、通知を受信し、電子デバイス３９０を使用するというユーザの意図を示す所定のイベントとしてその通知を識別しうる。
【００９０】
[0101]いくつかの実施形態では、イベント検出ユニット１０１２は、１つまたは複数の所定の物体が検出されたときに、電子デバイスを使用するというユーザの意図を示す所定のイベントを検出しうる。そのような所定の物体は、ユーザの手、電子デバイス３９０、電子デバイス３９０にプリントされた所定のシンボル、電子デバイス３９０の特定の部分、等を含みうる。物体（例えば、電子デバイス３９０）がスマートグラス９１２中のイメージセンサ１０６０の視野中にあるとき、イメージセンサ１０６０は、その物体のイメージをキャプチャし、キャプチャされたイメージをイベント検出ユニット１０１２に送信しうる。キャプチャされたイメージを受信すると、イベント検出ユニット１０１２は、所定の物体としてその物体を検出し、所定のイベントとして所定の物体を検出するイベントを識別しうる。一実施形態では、スマートグラス９１２は、１つまたは複数の物体を含むシーンの複数のイメージを検出またはキャプチャするために継続的に動作可能でありうる１つまたは複数の追加のイメージセンサ（例えば、低電力イメージセンサ）を装備されうる。
【００９１】
[0102]所定のイベントとしてイベントを識別すると、イベント検出ユニット１０１２は、電子デバイス３９０へのアクセスを認可するかどうかを決定するようにアクセス認可ユニット１０１４に命令しうる。加えて、イベント検出ユニット１０１２は、電子デバイス３９０を含む複数のイメージを検出するようにイメージセンサ１０６０に命令する信号を送りうる。さらに、電子デバイス３９０の動きを検出し、電子デバイス３９０の動きに関連付けられたデータをスマートグラス９１２に送信するようにアクティブ化処理ユニット４３４に命令する信号が、電子デバイス３９０に送られうる。
【００９２】
[0103]プロセッサ１０１０中のアクセス認可ユニット１０１４は、イベント検出ユニット１０１２からの命令に応答して、電子デバイス３９０へのアクセスを認可するかどうかを決定しうる。図１０中に示されるように、アクセス認可ユニット１０１４は、イメージ処理ユニット１０１６、動き処理ユニット１０１８、および認可信号生成ユニット１０２０を含みうる。イメージ処理ユニット１０１６は、電子デバイス３９０の１つまたは複数のイメージおよび電子デバイス３９０の基準イメージに基づいて、電子デバイス３９０へのアクセスを認可するかどうかを決定するように構成されうる。動き処理ユニット１０１８は、電子デバイス３９０の動きに基づいて、電子デバイス３９０へのアクセスを認可するかどうかを決定しうる。電子デバイス３９０へのアクセスを認可するイメージ処理ユニット１０１６または動き処理ユニット１０１８からの命令に応答して、認可信号生成ユニット１０２０は、電子デバイス３９０へのアクセスを認可する制御信号を生成し、その信号を電子デバイス３９０に送信しうる。
【００９３】
[0104]いくつかの実施形態では、スマートグラス９１２は、電子デバイス３９０の１つまたは複数のイメージに基づいて、電子デバイス３９０へのアクセスを認可するかどうかを決定しうる。例えば、ユーザ９１０がスマートグラス９１２を身に着けているとき、ユーザ９１０は、ユーザの手に電子デバイス３９０を手に取り、電子デバイス３９０を使用するために、電子デバイス３９０をユーザ９１０の方に移動させうる。ユーザ９１０が電子デバイス３９０をユーザ９１０の方に移動させている間に、スマートグラス９１２中のイメージセンサ１０６０は、電子デバイス３９０を含むシーンの１つまたは複数のイメージをキャプチャし、キャプチャされたイメージをイメージ処理ユニット１０１６に提供しうる。
【００９４】
[0105]電子デバイス３９０を含むシーンの１つまたは複数のイメージを受信すると、イメージ処理ユニット１０１６は、受信されたイメージ中の電子デバイス３９０を検出しうる。一実施形態では、イメージ処理ユニット１０１６は、受信されたイメージ中の電子デバイス３９０を検出し、そのイメージから電子デバイス３９０のイメージをセグメント化しうる。電子デバイス３９０のセグメント化されたイメージはその後、抽出され、記憶ユニット１０３０中の認可データベース１０３２からの電子デバイス３９０の基準イメージと比較されうる。基準イメージは、電子デバイス３９０のイメージを受信またはキャプチャし、電子デバイス３９０の基準イメージとして、受信またはキャプチャされたイメージを登録することによって生成されうる。イメージ処理ユニット１０１６はその後、電子デバイス３９０の抽出されたイメージを、電子デバイス３９０の基準イメージと比較しうる。一実施形態では、電子デバイス３９０の基準イメージは、音声コマンド（例えば、「イメージを登録」）、ジェスチャー、等のようなユーザのコマンドまたは入力に応答して登録され、認可データベース１０３２中に記憶されうる。
【００９５】
[0106]イメージ処理ユニット１０１６は、電子デバイス３９０の抽出されたイメージが電子デバイス３９０の基準イメージに類似しているかどうかを決定するために、電子デバイス３９０の抽出されたイメージを基準イメージと比較しうる。一実施形態では、イメージ処理ユニット１０１６は、イメージ間における類似性の度合いを計算することによって、イメージが類似しているかどうかを決定しうる。イメージ間における類似性の度合いを生成すると、記憶ユニット１０３０中の認可データベース１０３２が、類似性しきい値を取り出すためにアクセスされうる。認可データベース１０３２は、感度の複数の度合いに関連付けられた複数の類似性しきい値を含み、任意の適した類似性しきい値は、イメージ間における類似性を決定する際に使用するために選択されうる。類似性の度合いが類似性しきい値以上であった場合、電子デバイス３９０の抽出されたイメージは、基準イメージに類似していると決定されうる。
【００９６】
[0107]電子デバイス３９０のイメージが電子デバイス３９０の基準イメージに類似していると決定された場合、イメージ処理ユニット１０１６は、電子デバイス３９０へのアクセスは認可されうると決定し、電子デバイス３９０へのアクセスを認可するように認可信号生成ユニット１０２０に命令する信号を提供しうる。命令信号に応答して、認可信号生成ユニット１０２０は、電子デバイス３９０へのアクセスを認可する制御信号を生成し、短距離通信ユニット１０５０を介して、その制御信号を電子デバイス３９０に送信しうる。その一方で、電子デバイス３９０のイメージが基準イメージに類似していないと決定された場合、イメージ処理ユニット１０１６は、電子デバイス３９０へのアクセスは認可されないと決定しうる。
【００９７】
[0108]スマートグラス９１２中の動き処理ユニット１０１８はまた、電子デバイス３９０の動きを検出し、電子デバイス３９０からその動きに関連付けられたデータを受信しうる。ユーザ９１０が、電子デバイス３９０を使用するために、電子デバイス３９０をユーザ９１０の方に移動させたとき、スマートグラス９１２によって検出される電子デバイス３９０の動きは、電子デバイス３９０中の動きセンサ４２０によって検出される電子デバイス３９０の動きに類似しうる。一実施形態では、イメージセンサ１０６０は、電子デバイス３９０を含むシーンの複数のイメージをキャプチャし、キャプチャされたイメージを動き処理ユニット１０１８に提供しうる。キャプチャされたイメージから、動き処理ユニット１０１８は、電子デバイス３９０の動きを検出し、動きについてのパターンデータまたは軌道データのような、電子デバイス３９０の動きを示す動きデータを生成しうる。加えて、電子デバイス３９０中の動きセンサ４２０はまた、電子デバイス３９０の動きを検出し、電子デバイス３９０は、電子デバイス３９０の動きについての動きデータをスマートグラス９１２に送信しうる。
【００９８】
[0109]電子デバイス３９０の検出された動きについての動きデータを生成し、電子デバイス３９０からその動きに関連付けられた動きデータを受信すると、動き処理ユニット１０１８は、電子デバイス３９０の検出された動きについての動きデータが電子デバイス３９０から受信された動きデータに類似しているかどうかを決定しうる。一実施形態では、電子デバイス３９０の検出された動きについての動きデータは、動きデータ間における類似性の度合いを決定するために、電子デバイス３９０から受信された動きデータと比較される。このプロセスでは、動き処理ユニット１０１８は、感度の１つまたは複数の度合いに関連付けられた１つまたは複数の類似性しきい値を含みうる記憶ユニット１０３０中の認可データベース１０３２にアクセスしうる。認可データベース１０３２から、類似性しきい値が選択され、スマートグラス９１２と電子デバイス３９０とによって検出された電子デバイス３９０の動きが類似しているかどうかを決定するために、類似性の度合いと比較されうる。類似性の度合いが類似性しきい値以上であった場合、電子デバイス３９０の検出された動きについての動きデータと、電子デバイス３９０から受信された動きデータは、類似していると決定されうる。このケースでは、動き処理ユニット１０１８はその後、電子デバイス３９０へのアクセスは認可されると決定し、電子デバイス３９０へのアクセスを認可するように認可信号生成ユニット１０２０に命令する信号を提供しうる。その一方で、類似性の度合いが類似性しきい値未満であると決定された場合、動き処理ユニット３１６は、電子デバイス３９０へのアクセスは認可されないと決定しうる。このケースでは、電子デバイス３９０へのアクセスが認可されないことを示す信号が生成され、認可信号生成ユニット１０２０に提供されうる。代替として、いかなる信号も生成されないか、または認可信号生成ユニット１０２０に提供されないことがありうる。
【００９９】
[0110]イメージ処理ユニット１０１６または動き処理ユニット１０１８からの信号に応答して、認可信号生成ユニット１０２０は、電子デバイス３９０へのアクセスを認可する制御信号を生成し、短距離通信ユニット１０５０を介して、その制御信号を電子デバイス３９０に送信しうる。電子デバイス３９０中のアクティブ化処理ユニット４３４は、電子デバイス３９０へのアクセスを認可する制御信号を受信し、ユーザによるアクセスを可能にするために、電子デバイス３９０をアクティブ化しうる。一実施形態では、アクティブ化処理ユニット４３４は、スタートアップまたはホーム画面を表示するために電子デバイス３９０を自動的にロック解除することによって、またはユーザによって追加の行動を遂行あるいは追加の情報を入力することなしに所定の機能を遂行することによって、電子デバイス３９０をアクティブ化しうる。例えば、所定のイベントが電子メール、メッセージ、またはＳＮＳメッセージを受信するといったようなイベントであるとき、アクティブ化処理ユニット４３４は、電子メールアプリケーション、メッセージングアプリケーション、ＳＮＳアプリケーション、等をアクティブ化しうる。このケースでは、特定の電子メール、メッセージ、またはＳＮＳメッセージが直接アクティブ化され、電子デバイス３９０中のＩ／Ｏユニット４４０のディスプレイ画面上に表示されうる。
【０１００】
[0111]いくつかの実施形態にしたがって、イメージセンサ１０６０は、２つ以上の同一または類似である電子デバイスを含むシーンの複数のイメージをキャプチャしうる。例えば、電子デバイス３９０および１つまたは複数の他の電子デバイスは、１つの製造者からの同一モデルでありえ、このことから、同一または類似である外観を有しうる。一実施形態では、動き処理ユニット１０８０は、イメージセンサ１０６０から２つ以上の電子デバイスを含む複数のイメージを受信し、それらのイメージから電子デバイスのイメージを抽出しうる。電子デバイスの抽出されたイメージはその後、記憶ユニット１０３０中の認可データベース１０３２から取り出された電子デバイス３９０の基準イメージと比較されうる。このケースでは、イメージ処理ユニット１０１６は、電子デバイスについての抽出されたイメージの同一または類似である外観に起因して、電子デバイス３９０の基準イメージに関連付けられているとして２つ以上の電子デバイスを認識しうる。
【０１０１】
[0112]電子デバイスの基準イメージに関連付けられているとして２つ以上の電子デバイスを認識すると、イメージ処理ユニット１０１６は、電子デバイスの動きに基づいて、ユーザによるアクセスのために、２つ以上の電子デバイスの中から１つの電子デバイスを識別するように動き処理ユニット１０１８に命令しうる。それに応答して、動き処理ユニット１０１８は、２つ以上の電子デバイスを含む複数のイメージを受信しうる。一実施形態では、イメージは、イメージ処理ユニット１０１６またはイメージセンサ１０６０から受信されうる。動き処理ユニット１０１８はその後、受信されたイメージから２つ以上の電子デバイスの動きを検出しうる。
【０１０２】
[0113]２つ以上の電子デバイスを含む複数のイメージを受信することに加えて、動き処理ユニット１０１８は、電子デバイス３９０の動きについての動きデータを送ることを求める要求を、通信が確立された電子デバイス３９０のアクティブ化処理ユニット４３４に送信しうる。要求を受信すると、アクティブ化処理ユニット４３４は、電子デバイス３９０中の動きセンサ４２０によって検出された電子デバイス３９０の動きについての動きデータを受信し、その動きデータを動き処理ユニット１０１８に送信しうる。このケースでは、動き処理ユニット１０１８は、通信が確立されていない電子デバイスから動きデータを受信しないことがありうる。動き処理ユニット１０１８はその後、２つ以上の電子デバイスについての検出された動きの動きデータが電子デバイス３９０から受信された動きデータに類似しているかどうかを決定しうる。２つ以上の電子デバイスの検出された動きのうちの１つについての動きデータがアクセスされるべき電子デバイス３９０から受信された動きデータに類似していた場合、電子デバイス３９０へのアクセスを認可する制御信号が生成され、電子デバイス３９０に送信される。
【０１０３】
[0114]加えてまたは代替として、電子デバイス３９０は、電子デバイス３９０のイメージおよび電子デバイス３９０の動きに基づいて、電子デバイス３９０へのアクセスを認可するかどうかを決定しうる。このケースでは、アクティブ化処理ユニット４３４は、スマートグラス９１２から、電子デバイス３９０のイメージデータおよび電子デバイス３９０の動きデータを受信しうる。加えて、電子デバイス３９０中のイベント検出ユニットは、所定のイベントを検出しうる。一実施形態では、電子デバイス３９０中のプロセッサ４３０は、スマートグラス９１２のプロセッサ１０１０の１つまたは複数の処理ユニットを含みうる。例えば、プロセッサ４３０はまた、スマートグラス９１２のイベント検出ユニット１０１２、イメージ処理ユニット１０１６、および／または動き処理ユニット１０１８を含みうる。さらに、電子デバイス３９０中の記憶ユニット４５０は、スマートグラス９１２の認可データベース１０３２を記憶しうる。
【０１０４】
[0115]図１１は、本開示の一実施形態にしたがって、電子デバイス３９０の１つまたは複数のキャプチャされたイメージおよび電子デバイス３９０の基準イメージに基づいて、電子デバイス３９０へのアクセスを認可するための、スマートグラス９１２中で遂行される方法１１００のフローチャートを例示する。短距離通信ユニット４７０および１０５０が通信距離内にあるとき、１１１０において、スマートグラス９１２と電子デバイス３９０との間での通信が確立されうる。電子デバイス３９０との通信を確立すると、スマートグラス９１２は、電子デバイス３９０へのアクセスを認可するためのデータを送信および受信するために、短距離通信ユニット４７０および１０５０を介して電子デバイス３９０と通信しうる。
【０１０５】
[0116]１１２０において、スマートグラス９１２は、ターゲット電子デバイス（例えば、電子デバイス３９０）を含むシーンのイメージをキャプチャしうる。スマートグラス９１２中のイメージセンサ１０６０は、ターゲット電子デバイスを含むシーンのイメージを検出またはキャプチャし、その後、キャプチャされたイメージをスマートグラス９１２中のイメージ処理ユニット１０１６に提供しうる。一実施形態では、スマートグラス９１２および電子デバイス３９０のうちの少なくとも１つ中で所定のイベントを検出することに応答して、スマートグラス９１２は、ターゲット電子デバイスを含むシーンのイメージをキャプチャしうる。このケースでは、所定のイベントは、電子デバイス３９０との接触、メッセージの受信、および所定の物体の検出のうちの少なくとも１つを含みうる。
【０１０６】
[0117]ターゲット電子デバイスを含むシーンのイメージをキャプチャすることに応答して、１１３０において、スマートグラス９１２は、そのイメージ中のターゲット電子デバイスを検出しうる。この実施形態では、スマートグラス９１２中のイメージ処理ユニット１０１６は、キャプチャされたイメージから候補電子デバイスのイメージをセグメント化および抽出し、ターゲット電子デバイスとしてその候補電子デバイスを識別しうる。キャプチャされたイメージからターゲット電子デバイスが検出および識別されると、１１４０において、スマートグラスは、ターゲット電子デバイスが電子デバイス３９０であるかどうかを検証しうる。
【０１０７】
[0118]ターゲット電子デバイスが電子デバイス３９０であるかどうかを検証するために、スマートグラス９１２中のイメージ処理ユニット１０１６は、記憶ユニット１０３０中の認可データベース１０３２からの電子デバイス３９０の基準イメージにアクセスし、ターゲット電子デバイスのイメージを電子デバイス３９０の基準イメージと比較しうる。電子デバイス３９０の基準イメージは、電子デバイス３９０のイメージを受信またはキャプチャし、電子デバイス３９０の基準イメージとして、受信またはキャプチャされたイメージを登録することによって生成されうる。１１５０において、ターゲット電子デバイスがその電子デバイスであるかどうかが検証される。イメージ中のターゲット電子デバイスが電子デバイス３９０であると検証された場合（すなわち、１１５０においてＹＥＳ）、方法は、認可信号生成ユニット１０２０において電子デバイス３９０へのアクセスを認可する制御信号を生成するために、１１６０に進みうる。イメージ中のターゲット電子デバイスが電子デバイス３９０であると検証されなかった場合（すなわち、１１５０においてＮＯ）、方法は、１１１０に進みえ、電子デバイス３９０へのアクセスは、認可されない。
【０１０８】
[0119]電子デバイス３９０へのアクセスを認可する制御信号がスマートグラス９１２中の認可信号生成ユニット１０２０において生成されると、１１７０において、スマートグラス９１２は、短距離通信ユニット１０５０を介して、その制御信号を電子デバイス３９０に送信しうる。このプロセスでは、制御信号は、電子デバイス３９０へのアクセスを提供するための機能を遂行するように電子デバイス３９０に命令するように適合されうる。例えば、電子デバイス３９０は、自動的にロック解除されうるか、または電子メールアプリケーション、メッセージングアプリケーション、ＳＮＳアプリケーション、等をアクティブ化するといったような所定の機能を自動的に遂行しうる。電子デバイス３９０のイメージに基づいて電子デバイス３９０へのアクセスを可能にすることによって、ユーザは、ユーザによって追加の行動を遂行または追加の情報を入力することなしに、電子デバイス３９０に便利にアクセスしうる。
【０１０９】
[0120]図１２は、本開示の一実施形態にしたがって、電子デバイス３９０の複数のイメージから電子デバイス３９０の動きを検出することによって、電子デバイス３９０へのアクセスを認可するための、スマートグラス９１２中で遂行される方法１１６０のフローチャートを例示する。１１５０において、ターゲット電子デバイスが電子デバイス３９０であると検証されると、スマートグラス９１２はまた、ターゲット電子デバイスの動きを検出し、電子デバイス３９０からその動きに関連付けられたデータを受信しうる。１２１０において、スマートグラス９１２は、ターゲット電子デバイスの動きを検出するために、ターゲット電子デバイスの複数のイメージをキャプチャしうる。一実施形態では、スマートグラス９１２中のイメージセンサ１０６０は、ターゲット電子デバイスの動きを検出するために、ターゲット電子デバイスを含むシーンの複数のイメージをキャプチャし、キャプチャされたイメージをスマートグラス９１２中の動き処理ユニット１０１８に提供しうる。１１２０において、キャプチャされたイメージから、スマートグラス９１２は、ターゲット電子デバイスの動きを検出し、ターゲット電子デバイスの動きを示す動きデータを生成しうる。加えて、電子デバイス３９０の動きは、電子デバイス３９０中の動きセンサ４２０によって検出されえ、その後、１２３０において、スマートグラス９１２は、電子デバイス３９０から電子デバイス３９０の動きを示すデータを受信しうる。
【０１１０】
[0121]ターゲット電子デバイスの検出された動きについての動きデータを生成し、電子デバイス３９０のその動きに関連付けられた動きデータを受信すると、１２４０において、スマートグラス９１２は、ターゲット電子デバイスの動きと電子デバイス３９０の動きとの間における類似性の度合いを決定しうる。スマートグラス９１２は、しきい値を取り出すために、記憶ユニット１０３０中の認可データベース１０３２にアクセスし、その後、１２５０において、所定のしきい値を動き間における類似性の度合いと比較しうる。類似性の度合いがしきい値以上であった場合（すなわち、１２５０においてＹＥＳ）、方法は、スマートグラス９１２中の認可信号生成ユニット１０２０において電子デバイス３９０へのアクセスを認可する制御信号を生成するために、１２６０に進みうる。類似性の度合いがしきい値未満であった場合（すなわち、１２５０においてＮＯ）、方法は、１１１０に進みえ、電子デバイス３９０へのアクセスは、認可されない。
【０１１１】
[0122]図１３は、電子デバイス３９０へのアクセスを認可するための方法および装置が本開示のいくつかの実施形態にしたがってインプリメントされうる例証的な電子デバイス１３００のブロック図である。電子デバイス１３００の構成は、図１〜１２に関連して説明された上記の実施形態にしたがった電子デバイス中でインプリメントされうる。電子デバイス１３００は、セルラ電話、スマートフォン、ウェアラブルデバイス、タブレットコンピュータ、ラップトップコンピュータ、端末、ハンドセット、携帯情報端末（ＰＤＡ）、ワイヤレスモデム、コードレス電話、等でありうる。ワイヤレス通信システムは、符号分割多元接続（ＣＤＭＡ）システム、モバイル通信のためのブロードキャストシステム（ＧＳＭ）システム、広帯域ＣＤＭＡ（ＷＣＤＭＡ（登録商標））システム、ロングタームエボリューション（ＬＴＥ）システム、ＬＴＥ Ａｄｖａｎｃｅｄシステム、等でありうる。さらに、電子デバイス１３００は、例えば、Ｗｉ−Ｆｉ ＤｉｒｅｃｔまたはＢｌｕｅｔｏｏｔｈを使用して、別のモバイルデバイスと直接通信しうる。
【０１１２】
[0123]電子デバイス１３００は、受信パスおよび送信パスを介して双方向通信を提供することが可能である。受信パス上で、基地局によって送信された信号は、アンテナ１３１２によって受信され、受信機（ＲＣＶＲ）１３１４に提供される。受信機１３１４は、受信された信号を調整（condition）およびデジタル化し、さらなる処理のために、調整およびデジタル化されたデジタル信号のようなサンプルをデジタルセクションに提供する。送信パス上で、送信機（ＴＭＴＲ）１３１６は、送信されるデータをデジタルセクション１３２０から受信し、そのデータを処理および調整し、変調された信号を生成し、それは、アンテナ１３１２を介して基地局に送信される。受信機１３１４および送信機１３１６は、ＣＤＭＡ、ＧＳＭ、ＬＴＥ、ＬＴＥ Ａｄｖａｎｃｅｄ、等をサポートしうるトランシーバの一部でありうる。
【０１１３】
[0124]デジタルセクション１３２０は、例えば、モデムプロセッサ１３２２、縮小命令セットコンピュータ／デジタルシグナルプロセッサ（ＲＩＳＣ／ＤＳＰ）１３２４、コントローラ／プロセッサ１３２６、内部メモリ１３２８、 汎用オーディオ／ビデオエンコーダ１３３２、 汎用オーディオデコーダ１３３４、グラフィックス／ディスプレイプロセッサ１３３６、および外部バスインタフェース（ＥＢＩ）１３３８のような様々な処理、インタフェース、およびメモリのユニットを含む。モデムプロセッサ１３２２は、データの送信および受信のための処理、例えば、符号化、変調、復調、および復号、を遂行しうる。ＲＩＳＣ／ＤＳＰ １３２４は、電子デバイス１３００のための汎用および専用の処理を遂行しうる。コントローラ／プロセッサ１３２６は、デジタルセクション１３２０内の様々な処理およびインタフェースのユニットの動作を遂行しうる。内部メモリ１３２８は、デジタルセクション１３２０内の様々なユニットのためのデータおよび／または命令を記憶しうる。
【０１１４】
[0125]汎用オーディオ／ビデオエンコーダ１３３２は、オーディオ／ビデオソース１３４２、マイクロフォン１３４４、イメージセンサ１３４６、等からの入力信号に対する符号化を遂行しる。汎用オーディオデコーダ１３３４は、コード化されたオーディオデータに対する復号を遂行し、出力信号をスピーカ／ヘッドセット１３４８に提供しうる。グラフィックス／ディスプレイプロセッサ１３３６は、グラフィックス、ビデオ、イメージ、およびテキストに対する処理を遂行しえ、それらは、ディスプレイユニット１３５０に表示されうる。ＥＢＩ １３３８は、デジタルセクション１３２０とメインメモリ１３５２との間のデータの転送を容易にしうる。
【０１１５】
[0126]デジタルセクション１３２０は、１つまたは複数のプロセッサ、ＤＳＰ、マイクロプロセッサ、ＲＩＳＣ、等を用いてインプリメントされうる。デジタルセクション１３２０はまた、１つまた複数の特定用途向け集積回路（ＡＳＩＣ）および／または何らかの他のタイプの集積回路（ＩＣ）上で組み立てられうる。
【０１１６】
[0127]一般に、本明細書で説明された任意のデバイスは、ワイヤレス電話、セルラ電話、ラップトップコンピュータ、ウェアラブルデバイス、ワイヤレスマルチメディアデバイス、ワイヤレス通信パーソナルコンピュータ（ＰＣ）カード、ＰＤＡ、外部または内部モデム、ワイヤレスチャネルを通じて通信するデバイス、等のような、様々なタイプのデバイスを表しうる。デバイスは、アクセス端末（ＡＴ）、アクセスユニット、加入者ユニット、モバイル局、モバイルデバイス、モバイルユニット、モバイル電話、モバイル、遠隔局、遠隔端末、遠隔ユニット、ユーザデバイス、ユーザ機器、ハンドヘルドデバイス、等のような、様々な名称を有しうる。本明細書で説明された任意のデバイスは、命令およびデータを記憶するためのメモリ、ならびにハードウェア、ソフトウェア、ファームウェア、またはそれらの組み合わせを有しうる。
【０１１７】
[0128]本明細書で説明された技法は、様々な手段によってインプリメントされうる。例えば、これらの技法は、ハードウェア、ファームウェア、ソフトウェア、またはそれらの組み合わせ中でインプリメントされうる。当業者はさらに、本明細書での開示に関連して説明された様々な例示的な論理ブロック、モジュール、回路、およびアルゴリズムステップが、電子ハードウェア、コンピュータソフトウェア、または両方の組み合せとしてインプリメントされうることを認識するであろう。ハードウェアとソフトウェアとのこの互換性を明確に例示するために、様々な例示的なコンポーネント、ブロック、モジュール、回路、およびステップが、概してそれらの機能の観点から上述されてきた。そのような機能がハードウェアまたはソフトウェアとしてインプリメントされるかどうかは、特定のアプリケーションおよびシステム全体に課せられた設計制約に依存する。当業者は、説明された機能を特定のアプリケーションごとに様々な方法でインプリメントしうるが、そのようなインプリメンテーションの決定は、本開示の範囲からの逸脱を引き起こしていると解釈されるべきではない。
【０１１８】
[0129]ハードウェアのインプリメンテーションの場合、技法を遂行するために使用される処理ユニットは、１つまたは複数のＡＳＩＣ、ＤＳＰ、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、電子デバイス、本明細書で説明された機能を遂行するように設計された他の電子ユニット、コンピュータ、またはそれらの組み合わせ内でインプリメントされうる。
【０１１９】
[0130]このことから、本明細書での開示に関連して説明された様々な例示的な論理ブロック、モジュール、および回路は、汎用プロセッサ、ＤＳＰ、ＡＳＩＣ、ＦＰＧＡまたは他のプログラマブル論理デバイス、離散ゲートまたはトランジスタ論理、離散ハードウェアコンポーネント、あるいは本明細書で説明された機能を遂行するように設計されたそれらの任意の組み合わせを用いて、インプリメントまたは遂行される。汎用プロセッサは、マイクロプロセッサでありうるが、代替では、そのプロセッサは、任意の従来のプロセッサ、コントローラ、マイクロコントローラ、またはステートマシンでありうる。プロセッサはまた、計算デバイスの組み合わせ、例えば、ＤＳＰとマイクロプロセッサとの組み合わせ、複数のマイクロプロセッサ、ＤＳＰコアと連携した１つまたは複数のマイクロプロセッサ、または任意の他のそのような構成としてインプリメントされうる。
【０１２０】
[0131]ソフトウェア中でインプリメントされた場合、それらの機能は、コンピュータ可読媒体上で、１つまたは複数の命令あるいはコードとして記憶または送信されうる。コンピュータ可読媒体は、ある場所から別の場所へのコンピュータプログラムの転送を容易にする任意の媒体を含む通信媒体とコンピュータ記憶媒体との両方を含む。記憶媒体は、コンピュータによってアクセスされることができる任意の利用可能な媒体でありうる。限定ではなく例として、そのようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、データ構造または命令の形式で所望のプログラムコードを記憶または搬送するために使用されることができ、コンピュータによってアクセスされることができる任意の他の媒体を備えることができる。さらに、任意の接続は、厳密にはコンピュータ可読媒体と称される。例えば、ソフトウェアが、同軸ケーブル、光ファイバケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合、同軸ケーブル、光ファイバケーブル、ツイストペア、ＤＳＬ、または赤外線、無線、およびマイクロ波のようなワイヤレス技術は、媒体の定義中に含まれる。ディスク（disk）およびディスク（disc）は、本明細書で使用される場合、コンパクトディスク（ＣＤ）（disc）、レーザーディスク（登録商標）（disc）、光ディスク（disc）、デジタル多用途ディスク（ＤＶＤ）（disc）、フロッピー（登録商標）ディスク（disk）およびＢｌｕ−ｒａｙ（登録商標）ディスク（disc）を含み、ここで、ディスク（disk）は通常、磁気的にデータを再生し、その一方でディスク（disc）は、レーザーを用いて光学的にデータを再生する。上記の組み合わせもまた、コンピュータ可読媒体の範囲内に含まれるべきである。
【０１２１】
[0132]本開示の先の説明は、当業者が本開示を製造または使用することを可能にするために提供される。本開示に対する様々な修正は、当業者にとって容易に明らかとなり、本明細書で定義された包括的な原理は、本開示の精神または範囲から逸脱することなしに他の変形に適用される。このことから、本開示は、本明細書で説明された例に限定されるようには意図されず、本明細書で開示された原理および新規の特徴と一致する最も広い範囲を付与されるべきである。
【０１２２】
[0133]例証的なインプリメンテーションは、１つまたは複数のスタンドアロンコンピュータシステムのコンテキストにおいて、本開示の主題の態様を利用することを言及されているが、主題は、それに限定されず、むしろ、ネットワークまたは分散されたコンピューティング環境のような、任意のコンピューティング環境に関連してインプリメントされうる。またさらに、本開示の主題の態様は、複数の処理チップまたはデバイス中で、またはそれらにわたって、インプリメントされ、記憶装置も同様に、複数のデバイスにわたって影響されうる。そのようなデバイスは、ＰＣ、ネットワークサーバ、およびハンドヘルドデバイスを含みうる。
【０１２３】
[0134]主題は、構造上の特徴および／または方法論的動作に特有の言語で説明されてきたが、添付された特許請求の範囲中で定義された主題は、上述された特定の特徴または動作に必ずしも限定されないことが理解されるべきである。むしろ、上述された特定の特徴および動作は、特許請求の範囲をインプリメントする形態例として開示されている。
以下に本願の出願当初の特許請求の範囲に記載された発明を付記する。
[Ｃ１]  第２の電子デバイスへのアクセスを認可するための、第１の電子デバイス中で遂行される方法であって、前記方法は、
前記第１の電子デバイスと前記第２の電子デバイスとの間での通信を確立することと、
前記第１および第２の電子デバイスのうちの少なくとも１つの移動に応答して、前記第１および第２の電子デバイスのうちの前記少なくとも１つの動きを示すデータを取得することと、
前記データに基づいて、前記第２の電子デバイスへのアクセスを認可する制御信号を生成することと、
前記制御信号を前記第２の電子デバイスに送信することと
を備える、方法。
[Ｃ２]  前記動きを示す前記データを取得することは、
前記第１および第２の電子デバイスのうちの少なくとも１つ中で所定のイベントを検出することと、
前記所定のイベントを検出することに応答して、前記データを取得することと
を備える、Ｃ１に記載の方法。
[Ｃ３]  前記所定のイベントは、前記第２の電子デバイスとの接触、メッセージの受信、前記第１の電子デバイスの所定の動き、および前記第２の電子デバイスの所定の動きのうちの少なくとも１つを含む、Ｃ２に記載の方法。
[Ｃ４]  前記動きを示す前記データを取得することは、前記第１および第２の電子デバイスの加速度データ、軌道データ、方位データ、およびロケーションデータのうちの少なくとも１つを取得することを備える、Ｃ１に記載の方法。
[Ｃ５]  前記第１および第２の電子デバイスのうちの少なくとも１つの前記動きは、前記第１の電子デバイスの動きおよび前記第２の電子デバイスの動きを含み、
前記第２の電子デバイスへのアクセスを認可する前記制御信号を生成することは、
前記第１および第２の電子デバイスの前記動きを示す前記データに基づいて、前記第１の電子デバイスおよび前記第２の電子デバイスの前記動きにおける類似性の度合いが所定のしきい値を上回るかどうかを決定することと、
前記動きにおける前記類似性の度合いが前記所定のしきい値を上回ると決定することに応答して、前記制御信号を生成することと
を備える、Ｃ１に記載の方法。
[Ｃ６]  前記動きを示す前記データを取得することは、
前記第２の電子デバイスから送信された信号を受信することと、ここにおいて、前記信号は、前記第１の電子デバイスと前記第２の電子デバイスとの間での相対運動を示す、
前記動きを示す前記データとして、前記信号中での周波数変化のパターンを決定することと
を備える、Ｃ１に記載の方法。
[Ｃ７]  前記第２の電子デバイスへのアクセスを認可する前記制御信号を生成することは、
前記周波数変化のパターンと基準パターンとの間における類似性の度合いが所定のしきい値を上回るかどうかを決定することと、
前記類似性の度合いが前記所定のしきい値を上回ると決定することに応答して、前記制御信号を生成することと
を備える、Ｃ６に記載の方法。
[Ｃ８]  前記制御信号は、前記第２の電子デバイスへのアクセスを提供するための機能を遂行するように前記第２の電子デバイスに命令するように適合される、Ｃ１に記載の方法。
[Ｃ９]  ターゲットデバイスへのアクセスを認可するための電子デバイスであって、前記電子デバイスは、
前記ターゲットデバイスとの通信を確立するように構成された通信ユニットと、
前記電子デバイスおよび前記ターゲットデバイスのうちの少なくとも１つの動きを示すデータに基づいて、前記ターゲットデバイスへのアクセスを認可するように構成されたデータ処理ユニットと、ここにおいて、前記データは、前記電子デバイスおよび前記ターゲットデバイスのうちの前記少なくとも１つの移動に応答して取得される、
前記ターゲットデバイスへのアクセスを認可することに応答して、前記通信ユニットを介して制御信号を前記ターゲットデバイスに送信するように構成された信号生成ユニットと
を備える、電子デバイス。
[Ｃ１０]  前記電子デバイスおよび前記ターゲットデバイスのうちの少なくとも１つ中で所定のイベントを検出するように構成されたイベント検出ユニットをさらに備え、
前記データ処理ユニットは、前記所定のイベントを検出することに応答して、前記データを取得するようにさらに構成される、Ｃ９に記載の電子デバイス。
[Ｃ１１]  前記所定のイベントは、前記ターゲットデバイスとの接触、メッセージの受信、前記電子デバイスの所定の動き、および前記ターゲットデバイスの所定の動きのうちの少なくとも１つを含む、Ｃ１０に記載の電子デバイス。
[Ｃ１２]  前記動きを示す前記データは、前記電子デバイスおよび前記ターゲットデバイスの加速度データ、軌道データ、方位データ、およびロケーションデータのうちの少なくとも１つを含む、Ｃ９に記載の電子デバイス。
[Ｃ１３]  前記電子デバイスおよび前記ターゲットデバイスのうちの少なくとも１つの前記動きは、前記電子デバイスの動きおよび前記ターゲットデバイスの動きを含み、
前記データ処理ユニットは、
前記電子デバイスおよび前記ターゲットデバイスの前記動きを示す前記データに基づいて、前記電子デバイスおよび前記ターゲットデバイスの前記動きにおける類似性の度合いが所定のしきい値を上回るかどうかを決定することと、
前記動きにおける前記類似性の度合いが前記所定のしきい値を上回ると決定することに応答して、前記ターゲットデバイスへのアクセスを認可することと
を行うように構成される、Ｃ９に記載の電子デバイス。
[Ｃ１４]  前記ターゲットデバイスから送信された信号を受信するように構成された信号受信機をさらに備え、
前記信号は、前記電子デバイスと前記ターゲットデバイスとの間での相対運動を示し、
前記データ処理ユニットは、前記動きを示す前記データとして、前記信号中での周波数変化のパターンを決定するように構成される、Ｃ９に記載の電子デバイス。
[Ｃ１５]  前記データ処理ユニットは、
前記周波数変化のパターンと基準パターンとの間における類似性の度合いが所定のしきい値を上回るかどうかを決定することと、
前記類似性の度合いが前記所定のしきい値を上回ると決定することに応答して、前記ターゲットデバイスへのアクセスを認可することと
を行うように構成される、Ｃ１４に記載の電子デバイス。
[Ｃ１６]  前記制御信号は、前記ターゲットデバイスへのアクセスを提供するための機能を遂行するように前記ターゲットデバイスに命令するように適合される、Ｃ９に記載の電子デバイス。
[Ｃ１７]  ターゲットデバイスへのアクセスを認可するための命令を備える、非一時的コンピュータ可読記憶媒体であって、前記命令は、電子デバイスのプロセッサに、
前記電子デバイスと前記ターゲットデバイスとの間での通信を確立することと、
前記電子デバイスおよび前記ターゲットデバイスのうちの少なくとも１つの移動に応答して、前記電子デバイスおよび前記ターゲットデバイスのうちの前記少なくとも１つの動きを示すデータを取得することと、
前記データに基づいて、前記ターゲットデバイスへのアクセスを認可する制御信号を生成することと、
前記制御信号を前記ターゲットデバイスに送信することと
を行う動作を遂行させる、非一時的コンピュータ可読記憶媒体。
[Ｃ１８]  前記動きを示す前記データを取得することは、
前記電子デバイスおよび前記ターゲットデバイスのうちの少なくとも１つ中で所定のイベントを検出することと、
前記所定のイベントを検出することに応答して、前記データを取得することと
を備える、Ｃ１７に記載の媒体。
[Ｃ１９]  前記所定のイベントは、前記ターゲットデバイスとの接触、メッセージの受信、前記電子デバイスの所定の動き、および前記ターゲットデバイスの所定の動きのうちの少なくとも１つを含む、Ｃ１８に記載の媒体。
[Ｃ２０]  前記電子デバイスおよび前記ターゲットデバイスのうちの少なくとも１つの前記動きは、前記電子デバイスの動きおよび前記ターゲットデバイスの動きを含み、
前記ターゲットデバイスへのアクセスを認可する前記制御信号を生成することは、
前記電子デバイスおよび前記ターゲットデバイスの前記動きを示す前記データに基づいて、前記電子デバイスおよび前記ターゲットデバイスの前記動きにおける類似性の度合いが所定のしきい値を上回るかどうかを決定することと、
前記動きにおける前記類似性の度合いが前記所定のしきい値を上回ると決定することに応答して、前記制御信号を生成することと
を備える、Ｃ１７に記載の媒体。
[Ｃ２１]  前記動きを示す前記データを取得することは、
前記ターゲットデバイスから送信された信号を受信することと、ここにおいて、前記信号は、前記電子デバイスと前記ターゲットデバイスとの間での相対運動を示す、
前記動きを示す前記データとして、前記信号中での周波数変化のパターンを決定することと
を備える、Ｃ１７に記載の媒体。
[Ｃ２２]  前記ターゲットデバイスへのアクセスを認可する前記制御信号を生成することは、
前記周波数変化のパターンと基準パターンとの間における類似性の度合いが所定のしきい値を上回るかどうかを決定することと、
前記類似性の度合いが前記所定のしきい値を上回ると決定することに応答して、前記制御信号を生成することと
を備える、Ｃ２１に記載の媒体。
[Ｃ２３]  前記制御信号は、前記ターゲットデバイスへのアクセスを提供するための機能を遂行するように前記ターゲットデバイスに命令するように適合される、Ｃ１７に記載の媒体。
[Ｃ２４]  ターゲットデバイスへのアクセスを認可するための電子デバイスであって、前記電子デバイスは、
前記ターゲットデバイスとの通信を確立するための手段と、
前記電子デバイスおよび前記ターゲットデバイスのうちの少なくとも１つの動きを示すデータに基づいて、前記ターゲットデバイスへのアクセスを認可するための手段と、ここにおいて、前記データは、前記電子デバイスおよび前記ターゲットデバイスのうちの前記少なくとも１つの移動に応答して取得される、
前記ターゲットデバイスへのアクセスを認可することに応答して、前記ターゲットデバイスとの前記通信を前記確立するための手段を介して制御信号を前記ターゲットデバイスに送信するための手段と
を備える、電子デバイス。
[Ｃ２５]  前記電子デバイスおよび前記ターゲットデバイスのうちの少なくとも１つ中で所定のイベントを検出するための手段をさらに備え、
前記ターゲットデバイスへのアクセスを前記認可するための手段は、前記所定のイベントを検出することに応答して、前記データを取得するように構成される、Ｃ２４に記載の電子デバイス。
[Ｃ２６]  前記所定のイベントは、前記ターゲットデバイスとの接触、メッセージの受信、前記電子デバイスの所定の動き、および前記ターゲットデバイスの所定の動きのうちの少なくとも１つを含む、Ｃ２５に記載の電子デバイス。
[Ｃ２７]  前記電子デバイスおよび前記ターゲットデバイスのうちの少なくとも１つの前記動きは、前記電子デバイスの動きおよび前記ターゲットデバイスの動きを含み、
前記ターゲットデバイスへのアクセスを前記認可するための手段は、
前記電子デバイスおよび前記ターゲットデバイスの前記動きを示す前記データに基づいて、前記電子デバイスおよび前記ターゲットデバイスの前記動きにおける類似性の度合いが所定のしきい値を上回るかどうかを決定することと、
前記動きにおける前記類似性の度合いが前記所定のしきい値を上回ると決定することに応答して、前記ターゲットデバイスへのアクセスを認可することと
を行うように構成される、Ｃ２４に記載の電子デバイス。
[Ｃ２８]  前記ターゲットデバイスから送信された信号を受信するための手段をさらに備え、
前記信号は、前記電子デバイスと前記ターゲットデバイスとの間での相対運動を示し、
前記ターゲットデバイスへのアクセスを前記認可するための手段は、前記動きを示す前記データとして、前記信号中での周波数変化のパターンを決定するように構成される、Ｃ２４に記載の電子デバイス。
[Ｃ２９]  前記ターゲットデバイスへのアクセスを前記認可するための手段は、
前記周波数変化のパターンと基準パターンとの間における類似性の度合いが所定のしきい値を上回るかどうかを決定することと、
前記類似性の度合いが前記所定のしきい値を上回ると決定することに応答して、前記ターゲットデバイスへのアクセスを認可することと
を行うように構成される、Ｃ２８に記載の電子デバイス。
[Ｃ３０]  前記制御信号は、前記ターゲットデバイスへのアクセスを提供するための機能を遂行するように前記ターゲットデバイスに命令するように適合される、Ｃ２４に記載の電子デバイス。
【図１Ａ】
0006657191.tif 000002
【図１Ｂ】
0006657191.tif 000003
【図１Ｃ】
0006657191.tif 000004
【図１Ｄ】
0006657191.tif 000005
【図２Ａ】
0006657191.tif 000006
【図２Ｂ】
0006657191.tif 000007
【図２Ｃ】
0006657191.tif 000008
【図２Ｄ】
0006657191.tif 000009
【図３】
0006657191.tif 000010
【図４】
0006657191.tif 000011
【図５】
0006657191.tif 000012
【図６】
0006657191.tif 000013
【図７】
0006657191.tif 000014
【図８】
0006657191.tif 000015
【図９Ａ】
0006657191.tif 000016
【図９Ｂ】
0006657191.tif 000017
【図９Ｃ】
0006657191.tif 000018
【図１０】
0006657191.tif 000019
【図１１】
0006657191.tif 000020
【図１２】
0006657191.tif 000021
【図１３】
0006657191.tif 000022